(57)【特許請求の範囲】
【請求項１】
１または複数のグループに属するコンテンツを選択するためのインデックス画像をコンテンツ単位で表示部の表示面における所定位置に配置する一覧表示画面と前記インデックス画像をグループ単位で前記表示面における所定位置に配置するグループ表示画面とを切り替える切替操作に基づいて前記一覧表示画面および前記グループ表示画面の何れかを前記表示部に表示させ、
前記切替操作に応じて、当該切替操作の受付時に表示されていた前記一覧表示画面および前記グループ表示画面のうちの何れか一方の画面における所定位置から当該切替操作の受付後に表示される他方の画面における所定位置まで前記インデックス画像をコンテンツ単位で移動させ、前記移動の際に当該移動対象となるインデックス画像をアニメーション表示させるとともに前記一覧表示画面における特定方向において隣接するインデックス画像の単位時間当たりの移動速度の変化率が異なるように移動させる
表示制御部を具備する電子機器。
【請求項２】
前記表示制御部は、前記インデックス画像をマトリクス状に並べて配置する画面を前記一覧表示画面として表示させ、１つのグループを構成する各コンテンツに対応する前記インデックス画像が上書き合成により形成される合成画像を当該グループを表すグループ画像とし、前記グループ画像をグループ単位で所定位置に配置する画面を前記グループ表示画面として表示させる請求項１記載の電子機器。
【請求項３】
前記表示制御部は、前記グループ表示画面から前記一覧表示画面に切り替える前記切替操作が受け付けられた場合には前記グループ画像として上側に表示されているインデックス画像については当該表示位置から前記一覧表示画面における所定位置まで移動させ、前記グループ画像として上側に表示されていないインデックス画像については当該グループ画像における所定位置から前記一覧表示画面における所定位置まで移動させる請求項２記載の電子機器。
【請求項４】
前記表示制御部は、１つのグループを構成する各コンテンツに対応する前記インデックス画像を連続して並べて配置する画面を前記一覧表示画面として表示させる請求項１記載の電子機器。
【請求項５】
前記表示制御部は、前記インデックス画像の長手方向が特定方向となるように並べて配置する画面を前記一覧表示画面として表示させ、前記インデックス画像のうちの少なくとも１つを所定角度だけ回転させて前記表示面における所定位置に配置する画面を前記グループ表示画面として表示させる請求項１記載の電子機器。
【請求項６】
前記表示制御部は、前記移動の際における移動元から移動先までの間に前記回転の対象となるインデックス画像が前記移動先の角度となるように当該インデックス画像の角度を変更しながらアニメーション表示を行う請求項５記載の電子機器。
【請求項７】
前記表示制御部は、前記移動元から前記移動先までの間に前記回転の対象となるインデックス画像の単位時間当たりの回転速度の変化率と当該インデックス画像の単位時間当たりの移動速度の変化率とを関連付けてアニメーション表示を行う請求項６記載の電子機器。
【請求項８】
前記表示制御部は、前記グループ表示画面から前記一覧表示画面に切り替える前記切替操作が受け付けられた場合には当該切替操作の受付時に表示されていた前記グループ表示画面に含まれる前記グループ画像のうち特定位置に配置されているグループ画像に係る前記インデックス画像のみをアニメーション表示させる請求項２記載の電子機器。
【請求項９】
前記表示制御部は、前記グループ表示画面に含まれるインデックス画像と前記一覧表示画面に含まれるインデックス画像とを異なるサイズとして表示させ、前記切替操作が受け付けられた場合には前記移動の際における移動元から移動先までの間に前記一方の画面に含まれるインデックス画像のサイズが前記他方の画面に含まれるインデックス画像のサイズとなるように前記移動対象となるインデックス画像のサイズを変更しながらアニメーション表示を行う請求項１記載の電子機器。
【請求項１０】
前記インデックス画像は、略矩形状であり、
前記グループ表示画面に含まれるインデックス画像は、前記一覧表示画面に含まれるインデックス画像の長手方向における両端が切り取られたトリミング画像であり、
前記表示制御部は、前記グループ表示画面から前記一覧表示画面に切り替える前記切替操作が受け付けられた場合には前記移動元から前記移動先までの間に前記トリミング画像に元の画像を付加しながらアニメーション表示を行い、前記一覧表示画面から前記グループ表示画面に切り替える前記切替操作が受け付けられた場合には前記移動元から前記移動先までの間に前記インデックス画像の長手方向における両端を消去しながらアニメーション表示を行う
請求項９記載の電子機器。
【請求項１１】
前記表示制御部は、前記移動元から前記移動先までの間に前記インデックス画像の単位時間当たりの前記元の画像の付加の割合の変化率と当該インデックス画像の単位時間当たりの移動速度の変化率とを関連付けてアニメーション表示を行う請求項１０記載の電子機器。
【請求項１２】
前記表示制御部は、前記一覧表示画面から前記グループ表示画面に切り替える前記切替操作が受け付けられた場合には当該切替操作の受付時に表示されていた前記一覧表示画面に含まれる前記インデックス画像のうち特定位置に配置されているインデックス画像に係るグループを構成するコンテンツに係るインデックス画像のみをアニメーション表示させる請求項２記載の電子機器。
【請求項１３】
１または複数のグループに属するコンテンツを選択するためのインデックス画像をコンテンツ単位で表示部の表示面における所定位置に配置する一覧表示画面と前記インデックス画像をグループ単位で前記表示面における所定位置に配置するグループ表示画面とを切り替える切替操作に基づいて前記一覧表示画面および前記グループ表示画面の何れかを前記表示部に表示させる第１制御手順と、
前記切替操作に応じて、当該切替操作の受付時に表示されていた前記一覧表示画面および前記グループ表示画面のうちの何れか一方の画面における所定位置から当該切替操作の受付後に表示される他方の画面における所定位置まで前記インデックス画像をコンテンツ単位で移動させ、前記移動の際に当該移動対象となるインデックス画像をアニメーション表示させるとともに前記一覧表示画面における特定方向において隣接するインデックス画像の単位時間当たりの移動速度の変化率が異なるように移動させる第２制御手順と
を具備する表示制御方法。
【請求項１４】
１または複数のグループに属するコンテンツを選択するためのインデックス画像をコンテンツ単位で表示部の表示面における所定位置に配置する一覧表示画面と前記インデックス画像をグループ単位で前記表示面における所定位置に配置するグループ表示画面とを切り替える切替操作に基づいて前記一覧表示画面および前記グループ表示画面の何れかを前記表示部に表示させる第１制御手順と、
前記切替操作に応じて、当該切替操作の受付時に表示されていた前記一覧表示画面および前記グループ表示画面のうちの何れか一方の画面における所定位置から当該切替操作の受付後に表示される他方の画面における所定位置まで前記インデックス画像をコンテンツ単位で移動させ、前記移動の際に当該移動対象となるインデックス画像をアニメーション表示させるとともに前記一覧表示画面における特定方向において隣接するインデックス画像の単位時間当たりの移動速度の変化率が異なるように移動させる第２制御手順と
をコンピュータに実行させるプログラム。
【発明の詳細な説明】
【技術分野】
【０００１】
本発明は、電子機器に関し、特に、再生対象となるコンテンツを選択するためのインデックス画像を表示させる電子機器および表示制御方法ならびに当該方法をコンピュータに実行させるプログラムに関する。
【背景技術】
【０００２】
近年、人物や風景等の被写体を撮像して画像データを生成し、この画像データをコンテンツ（静止画コンテンツや動画コンテンツ）として記録するデジタルスチルカメラやデジタルビデオカメラ（例えば、カメラ一体型レコーダ）等の撮像装置が普及している。また、このように記録されたコンテンツをユーザ操作により選択して再生することが可能な再生装置が提案されている。
【０００３】
例えば、動画に対応するサムネイル画像をマトリクス状に並べて一覧表示し、この一覧表示されているサムネイル画像の中から所望のサムネイル画像を選択することにより所望の動画を再生させる再生装置が提案されている（例えば、特許文献１参照。）。
【先行技術文献】
【特許文献】
【０００４】
【特許文献１】特開２００６−１３９８４６号公報
【発明の概要】
【発明が解決しようとする課題】
【０００５】
上述の従来技術によれば、一覧表示されているインデックス画像（サムネイル画像）の中から所望のインデックス画像を選択することにより所望のコンテンツを再生させることができる。
【０００６】
ここで、再生対象となるコンテンツの数が多い場合に、コンテンツのインデックス画像を一覧表示し、この一覧表示されているインデックス画像の中から所望のコンテンツを選択する場合を想定する。この場合には、選択対象となるコンテンツの数が多いため、ユーザが所望のコンテンツを探す作業が煩雑となることが想定される。
【０００７】
そこで、再生対象となるコンテンツをイベント（例えば、旅行、運動会）毎に分類し、そのイベントを表す画像（イベント画像）を一覧表示し、この一覧表示されているイベント画像の中から所望のイベント画像を選択することが考えられる。すなわち、コンテンツに関する画像（イベント画像）をグループ単位で一覧表示して、この中から所望のイベント画像を選択することが考えられる。この場合には、その選択されたイベント（イベント画像）に分類されているコンテンツの中から所望のコンテンツを選択することができる。このため、再生対象となるコンテンツの数が多い場合でも、ユーザが所望のコンテンツを探す作業を比較的容易に行うことができると考えられる。
【０００８】
このように所望のイベントが選択された後に、その選択されたイベントに分類されているコンテンツの中から所望のコンテンツを選択する場合を想定する。この場合には、例えば、表示部における表示状態を、イベント画像を一覧表示するイベント表示画面からインデックス画像を一覧表示する一覧表示画面に切り替えることが考えられる。
【０００９】
このように表示画面が切り換えられた場合には、イベント表示画面におけるイベント画像の位置（表示面における位置）と、一覧表示画面におけるインデックス画像の位置（表示面における位置）とが異なることが考えられる。このようにイベント画像の位置と一覧表示画面におけるインデックス画像の位置とが異なる場合には、ユーザが選択したイベントと、この選択されたイベントに分類されているコンテンツ（インデックス画像）との対応関係が不明確となるおそれがある。このため、ユーザが所望のイベントを選択した後に、その選択されたイベントに分類されているコンテンツを確認し難いことが想定される。
【００１０】
また、一覧表示画面が表示されている場合に、他のイベントを選択するため、表示部における表示状態を、一覧表示画面からイベント表示画面に切り替える場合を想定する。このように表示画面を切り替える場合についても、一覧表示画面におけるインデックス画像の位置と、イベント表示画面におけるイベント画像の位置とが異なることが考えられる。この場合には、一覧表示画面に表示されていたインデックス画像と、イベント表示画面に表示されるイベント画像との対応関係が不明確となるおそれがある。このため、一覧表示画面に表示されていたインデックス画像が属するイベントのイベント画像を確認し難いことが想定される。
【００１１】
本発明はこのような状況に鑑みてなされたものであり、コンテンツ単位で一覧表示されるコンテンツに関する画像と、グループ単位で表示されるコンテンツに関する画像との対応関係を容易に把握することを目的とする。
【課題を解決するための手段】
【００１２】
本発明は、上記課題を解決するためになされたものであり、その第１の側面は、１または複数のグループに属するコンテンツを選択するためのインデックス画像をコンテンツ単位で表示部の表示面における所定位置に配置する一覧表示画面と上記インデックス画像をグループ単位で上記表示面における所定位置に配置するグループ表示画面とを切り替える切替操作に基づいて上記一覧表示画面および上記グループ表示画面の何れかを上記表示部に表示させ、上記切替操作に応じて、当該切替操作の受付時に表示されていた上記一覧表示画面および上記グループ表示画面のうちの何れか一方の画面における所定位置から当該切替操作の受付後に表示される他方の画面における所定位置まで上記インデックス画像をコンテンツ単位で移動させ、上記移動の際に当該移動対象となるインデックス画像をアニメーション表示させるとともに上記一覧表示画面における特定方向において隣接するインデックス画像の単位時間当たりの移動速度の変化率が異なるように移動させる表示制御部を具備する電子機器およびその表示制御方法ならびに当該方法をコンピュータに実行させるプログラムである。これにより、一覧表示画面とグループ表示画面とを切り替える切替操作に基づいて一覧表示画面およびグループ表示画面の何れかを表示させ、その切替操作の受付時に表示されていた一方の画面における所定位置から、その切替操作の受付後に表示される他方の画面における所定位置まで、インデックス画像をコンテンツ単位で移動させ、その移動の際に移動対象となるインデックス画像をアニメーション表示させるとともに一覧表示画面における特定方向において隣接するインデックス画像の単位時間当たりの移動速度の変化率が異なるように移動させるという作用をもたらす。
【００１３】
また、この第１の側面において、上記表示制御部は、上記インデックス画像をマトリクス状に並べて配置する画面を上記一覧表示画面として表示させ、１つのグループを構成する各コンテンツに対応する上記インデックス画像が上書き合成により形成される合成画像を当該グループを表すグループ画像とし、上記グループ画像をグループ単位で所定位置に配置する画面を上記グループ表示画面として表示させるようにしてもよい。これにより、インデックス画像をマトリクス状に並べて配置する画面を一覧表示画面として表示させ、１つのグループを構成する各コンテンツに対応するインデックス画像が上書き合成により形成される合成画像（グループ画像）をグループ単位で所定位置に配置する画面をグループ表示画面として表示させるという作用をもたらす。
【００１５】
また、この第１の側面において、上記表示制御部は、上記グループ表示画面から上記一覧表示画面に切り替える上記切替操作が受け付けられた場合には上記グループ画像として上側に表示されているインデックス画像については当該表示位置から上記一覧表示画面における所定位置まで移動させ、上記グループ画像として上側に表示されていないインデックス画像については当該グループ画像における所定位置から上記一覧表示画面における所定位置まで移動させるようにしてもよい。これにより、グループ表示画面から一覧表示画面に切り替える切替操作が受け付けられた場合には、グループ画像として上側に表示されているインデックス画像についてはその表示位置から一覧表示画面における所定位置まで移動させ、グループ画像として上側に表示されていないインデックス画像についてはグループ画像における所定位置から一覧表示画面における所定位置まで移動させるという作用をもたらす。
【００１６】
また、この第１の側面において、上記表示制御部は、１つのグループを構成する各コンテンツに対応する上記インデックス画像を連続して並べて配置する画面を上記一覧表示画面として表示させるようにしてもよい。これにより、１つのグループを構成する各コンテンツに対応するインデックス画像を連続して並べて配置する画面を一覧表示画面として表示させるという作用をもたらす。
【００１７】
また、この第１の側面において、上記表示制御部は、上記インデックス画像の長手方向が特定方向となるように並べて配置する画面を上記一覧表示画面として表示させ、上記インデックス画像のうちの少なくとも１つを所定角度だけ回転させて上記表示面における所定位置に配置する画面を上記グループ表示画面として表示させるようにしてもよい。これにより、インデックス画像の長手方向が特定方向となるように並べて配置する画面を一覧表示画面として表示させ、インデックス画像のうちの少なくとも１つを所定角度だけ回転させて表示面における所定位置に配置する画面をグループ表示画面として表示させるという作用をもたらす。
【００１８】
また、この第１の側面において、上記表示制御部は、上記移動の際における移動元から移動先までの間に上記回転の対象となるインデックス画像が上記移動先の角度となるように当該インデックス画像の角度を変更しながらアニメーション表示を行うようにしてもよい。これにより、移動の際における移動元から移動先までの間に、回転対象となるインデックス画像が移動先の角度となるように、インデックス画像の角度を変更しながらアニメーション表示を行うという作用をもたらす。
【００１９】
また、この第１の側面において、上記表示制御部は、上記移動元から上記移動先までの間に上記回転の対象となるインデックス画像の単位時間当たりの回転速度の変化率と当該インデックス画像の単位時間当たりの移動速度の変化率とを関連付けてアニメーション表示を行うようにしてもよい。これにより、移動元から移動先までの間に、回転対象となるインデックス画像の単位時間当たりの回転速度の変化率と、インデックス画像の単位時間当たりの移動速度の変化率とを関連付けてアニメーション表示を行うという作用をもたらす。
【００２０】
また、この第１の側面において、上記表示制御部は、上記グループ表示画面から上記一覧表示画面に切り替える上記切替操作が受け付けられた場合には当該切替操作の受付時に表示されていた上記グループ表示画面に含まれる上記グループ画像のうち特定位置に配置されているグループ画像に係る上記インデックス画像のみをアニメーション表示させるようにしてもよい。これにより、グループ表示画面から一覧表示画面に切り替える切替操作が受け付けられた場合には、その切替操作の受付時に表示されていたグループ表示画面に含まれるグループ画像のうち、特定位置に配置されているグループ画像に係るインデックス画像のみをアニメーション表示させるという作用をもたらす。
【００２１】
また、この第１の側面において、上記表示制御部は、上記グループ表示画面に含まれるインデックス画像と上記一覧表示画面に含まれるインデックス画像とを異なるサイズとして表示させ、上記切替操作が受け付けられた場合には上記移動の際における移動元から移動先までの間に上記一方の画面に含まれるインデックス画像のサイズが上記他方の画面に含まれるインデックス画像のサイズとなるように上記移動対象となるインデックス画像のサイズを変更しながらアニメーション表示を行うようにしてもよい。これにより、グループ表示画面に含まれるインデックス画像と、一覧表示画面に含まれるインデックス画像とを異なるサイズとして表示させ、切替操作が受け付けられた場合には、移動の際における移動元から移動先までの間に、一方の画面に含まれるインデックス画像のサイズが他方の画面に含まれるインデックス画像のサイズとなるように、移動対象となるインデックス画像のサイズを変更しながらアニメーション表示を行うという作用をもたらす。
【００２２】
また、この第１の側面において、上記インデックス画像を略矩形状とし、上記グループ表示画面に含まれるインデックス画像を、上記一覧表示画面に含まれるインデックス画像の長手方向における両端が切り取られたトリミング画像とし、上記表示制御部は、上記グループ表示画面から上記一覧表示画面に切り替える上記切替操作が受け付けられた場合には上記移動元から上記移動先までの間に上記トリミング画像に元の画像を付加しながらアニメーション表示を行い、上記一覧表示画面から上記グループ表示画面に切り替える上記切替操作が受け付けられた場合には上記移動元から上記移動先までの間に上記インデックス画像の長手方向における両端を消去しながらアニメーション表示を行うようにしてもよい。これにより、グループ表示画面から一覧表示画面に切り替える切替操作が受け付けられた場合には、移動元から移動先までの間に、トリミング画像に元の画像を付加しながらアニメーション表示を行い、一覧表示画面からグループ表示画面に切り替える切替操作が受け付けられた場合には、移動元から移動先までの間に、インデックス画像の長手方向における両端を消去しながらアニメーション表示を行うという作用をもたらす。
【００２３】
また、この第１の側面において、上記表示制御部は、上記移動元から上記移動先までの間に上記インデックス画像の単位時間当たりの上記元の画像の付加の割合の変化率と当該インデックス画像の単位時間当たりの移動速度の変化率とを関連付けてアニメーション表示を行うようにしてもよい。これにより、移動元から移動先までの間に、インデックス画像の単位時間当たりの元の画像の付加の割合の変化率と、インデックス画像の単位時間当たりの移動速度の変化率とを関連付けてアニメーション表示を行うという作用をもたらす。
【００２４】
また、この第１の側面において、上記表示制御部は、上記一覧表示画面から上記グループ表示画面に切り替える上記切替操作が受け付けられた場合には当該切替操作の受付時に表示されていた上記一覧表示画面に含まれる上記インデックス画像のうち特定位置に配置されているインデックス画像に係るグループを構成するコンテンツに係るインデックス画像のみをアニメーション表示させるようにしてもよい。これにより、一覧表示画面からグループ表示画面に切り替える切替操作が受け付けられた場合には、その切替操作の受付時に表示されていた一覧表示画面に含まれるインデックス画像のうち、特定位置に配置されているインデックス画像に係るグループを構成するコンテンツに係るインデックス画像のみをアニメーション表示させるという作用をもたらす。
【発明の効果】
【００２５】
本発明によれば、コンテンツ単位で一覧表示されるコンテンツに関する画像と、グループ単位で表示されるコンテンツに関する画像との対応関係を容易に把握することができるという優れた効果を奏し得る。
【図面の簡単な説明】
【００２６】
【図１】本発明の第１の実施の形態における撮像装置１００の内部構成例を示すブロック図である。
【図２】本発明の第１の実施の形態における撮像装置１００の機能構成例を示すブロック図である。
【図３】本発明の第１の実施の形態におけるコンテンツ記憶部２７０およびコンテンツ管理情報記憶部２８０の記憶内容の一例を模式的に示す図である。
【図４】本発明の第１の実施の形態におけるコンテンツ記憶部２７０に記憶されているコンテンツを時系列で模式的に示す図である。
【図５】本発明の第１の実施の形態における表示制御部２５０により表示されるイベント表示画面および一覧表示画面の一例を示す図である。
【図６】本発明の第１の実施の形態における表示制御部２５０により表示される表示画面の遷移例を示す図である。
【図７】本発明の第１の実施の形態における表示制御部２５０により表示される表示画面の遷移例を示す図である。
【図８】本発明の第１の実施の形態における表示制御部２５０により表示される表示画面の遷移例を示す図である。
【図９】本発明の第１の実施の形態における表示制御部２５０により表示される表示画面の遷移例を示す図である。
【図１０】本発明の第１の実施の形態における表示制御部２５０により表示される表示画面の遷移例を示す図である。
【図１１】本発明の第１の実施の形態における表示制御部２５０により表示される表示画面の遷移例を示す図である。
【図１２】本発明の第１の実施の形態における表示制御部２５０により表示される表示画面の遷移例を示す図である。
【図１３】本発明の第１の実施の形態における表示制御部２５０により表示される表示画面の遷移例を示す図である。
【図１４】本発明の第１の実施の形態における表示部１８１の表示画面と、この表示画面において移動対象となるサムネイル画像との関係を示す図である。
【図１５】本発明の第１の実施の形態における表示部１８１の表示画面と、この表示画面において移動対象となるサムネイル画像との関係を示す図である。
【図１６】本発明の第１の実施の形態における表示制御部２５０によりサムネイル画像が移動される際に用いられるパラメータａ、ｂ、ｃと時間軸との関係を示す図である。
【図１７】本発明の第１の実施の形態における表示制御部２５０により表示されるサムネイル画像の遷移例を示す図である。
【図１８】本発明の第１の実施の形態における表示制御部２５０により表示される表示画面の遷移例を示す図である。
【図１９】本発明の第１の実施の形態における表示制御部２５０により表示される表示画面の遷移例を示す図である。
【図２０】本発明の第１の実施の形態における表示制御部２５０により表示される表示画面の遷移例を示す図である。
【図２１】本発明の第１の実施の形態における表示制御部２５０により表示される表示画面の遷移例を示す図である。
【図２２】本発明の第１の実施の形態における表示制御部２５０により表示される表示画面の遷移例を示す図である。
【図２３】本発明の第１の実施の形態における表示制御部２５０により表示される表示画面の遷移例を示す図である。
【図２４】本発明の第１の実施の形態における表示制御部２５０により表示される表示画面の遷移例を示す図である。
【図２５】本発明の第１の実施の形態における表示制御部２５０により表示される表示画面の遷移例を示す図である。
【図２６】本発明の第１の実施の形態における撮像装置１００による表示制御処理の処理手順の一例を示すフローチャートである。
【図２７】本発明の第１の実施の形態における撮像装置１００による表示制御処理の処理手順のうちの一覧表示画面へのアニメーション処理を示すフローチャートである。
【図２８】本発明の第１の実施の形態における撮像装置１００による表示制御処理の処理手順のうちのイベント表示画面へのアニメーション処理を示すフローチャートである。
【図２９】本発明の第１の実施の形態の変形例における表示制御部２５０により表示される表示画面の遷移例を示す図である。
【図３０】本発明の第１の実施の形態の変形例における表示制御部２５０により移動されるサムネイル画像をフェードインするフェードイン方法を概略的に示す図である。
【図３１】本発明の第１の実施の形態の変形例における表示制御部２５０により移動されるサムネイル画像をフェードインするフェードイン方法を概略的に示す図である。
【図３２】本発明の第１の実施の形態の変形例における表示制御部２５０によりサムネイル画像が移動される際における移動遷移と回転遷移との関係を示す図である。
【図３３】本発明の第１の実施の形態における表示制御部２５０により表示される一覧表示画面の一例を示す図である。
【発明を実施するための形態】
【００２７】
以下、本発明を実施するための形態（以下、実施の形態と称する）について説明する。説明は以下の順序により行う。
１．第１の実施の形態（表示制御：イベント表示画面および一覧表示画面の切替操作時にサムネイル画像を移動させながらアニメーション表示する例）
２．変形例
【００２８】
＜１．第１の実施の形態＞
［撮像装置の内部構成例］
図１は、本発明の第１の実施の形態における撮像装置１００の内部構成例を示すブロック図である。
【００２９】
撮像装置１００は、光学ブロック１１１と、撮像素子１１２と、カメラ信号処理回路１１３と、キー入力回路１１４と、電源回路１１５と、電源コントロール回路１１６と、バッテリ１１７と、ＡＣケーブル１１８とを備える。また、撮像装置１００は、マイクロプロセッサ１２０と、記録／再生信号処理回路１３０と、記録メディア１４０と、画像処理回路１５０と、ＯＳＤ（オンスクリーンディスプレイ）画像生成回路１６０と、重畳回路１７０と、入出力パネル１８０とを備える。撮像装置１００は、例えば、被写体を撮像して画像データを生成し、この画像データについて各種画像処理を施すことが可能なデジタルビデオカメラによって実現することができる。
【００３０】
光学ブロック１１１は、外界の光を集光し、集光された光を撮像素子１１２に出力するものである。なお、光学ブロック１１１は、マイクロプロセッサ１２０から出力されたコントロール信号に基づいて、フォーカス制御や絞り値の調整等が行われる。
【００３１】
撮像素子１１２は、光学ブロック１１１を経由して入力された光信号を電気信号に変換する撮像素子であり、変換された電気信号をカメラ信号処理回路１１３に出力する。この撮像素子として、例えば、ＣＣＤ（Charge Coupled Device）またはＣＭＯＳ（Complementary Metal-Oxide Semiconductor）等を用いることができる。
【００３２】
カメラ信号処理回路１１３は、マイクロプロセッサ１２０から出力されたコントロール信号に基づいて、撮像素子１１２から出力された電気信号に対して適正な信号処理を施すものである。そして、カメラ信号処理回路１１３は、その信号処理が施された電気信号を映像信号として記録／再生信号処理回路１３０および重畳回路１７０に出力する。
【００３３】
キー入力回路１１４は、一または複数の外部操作部材を備え、外部操作部材の操作に応じた電気信号をマイクロプロセッサ１２０に出力する回路である。この外部操作部材は、例えば、撮像装置１００に備えられるハードウェアキーである。
【００３４】
電源回路１１５は、マイクロプロセッサ１２０および他回路に電源供給を行う電源回路である。この電源供給元は、バッテリ１１７またはＡＣケーブル１１８である。
【００３５】
電源コントロール回路１１６は、マイクロプロセッサ１２０から出力されたコントロール信号に基づいて、他回路への電源供給の有無を操作するものである。
【００３６】
バッテリ１１７は、電源回路１１５に電気を供給するバッテリである。また、ＡＣケーブル１１８から供給される電気を元に電源回路１１５によりバッテリ１１７に充電が行われる。ＡＣケーブル１１８は、電源回路１１５に電気を供給するＡＣケーブルである。
【００３７】
マイクロプロセッサ１２０は、メモリ（図示せず）に記憶されている制御プログラムに基づいて、撮像装置１００の各部を制御するマイクロプロセッサである。また、マイクロプロセッサ１２０は、入出力パネル１８０やキー入力回路１１４から出力される電気信号に基づいて、入出力パネル１８０やキー入力回路１１４における押下状態を判断する。そして、マイクロプロセッサ１２０は、その判断結果に基づいて、記録／再生信号処理回路１３０、画像処理回路１５０、ＯＳＤ画像生成回路１６０等にコマンドを出力する。
【００３８】
記録／再生信号処理回路１３０は、マイクロプロセッサ１２０から出力されたコントロール信号に基づいて、記録メディア１４０に対する記録または読出しを行うものである。
具体的には、動画記録中には、記録／再生信号処理回路１３０は、カメラ信号処理回路１１３から出力された映像信号をエンコードして動画ファイル（動画コンテンツ）として記録メディア１４０に記録させる。また、静止画の記録が指示（いわゆる、シャッター操作）された場合には、記録／再生信号処理回路１３０は、カメラ信号処理回路１１３から出力された映像信号をエンコードして静止画ファイル（静止画コンテンツ）として記録メディア１４０に記録させる。また、これらの動画コンテンツまたは静止画コンテンツを管理するコンテンツ管理情報が各コンテンツに関連付けて記録メディア１４０に記録される。また、コンテンツ再生モードが設定されている場合には、記録／再生信号処理回路１３０は、記録メディア１４０に記憶されている動画ファイルまたは静止画ファイルを読み出してデコードし、画像処理回路１５０に出力する。また、コンテンツ再生モードが設定されている場合には、記録／再生信号処理回路１３０は、記録メディア１４０に記憶されているコンテンツ管理情報を読み出し、画像処理回路１５０に出力する。このコンテンツ管理情報に基づいて、イベント表示画面（例えば、図５（ａ）に示すイベント表示画面３００）および一覧表示画面（例えば、図５（ｂ）に示す一覧表示画面３３０）が表示される。
【００３９】
画像処理回路１５０は、マイクロプロセッサ１２０から出力されたコントロール信号に基づいて、記録／再生信号処理回路１３０から出力されたコンテンツに対応する画像の拡大縮小処理等の各種画像処理を行うものである。そして、画像処理回路１５０は、これらの画像処理が施された映像信号を重畳回路１７０に出力する。
【００４０】
ＯＳＤ画像生成回路１６０は、入出力パネル１８０に表示される各種画像を保持するＶＲＡＭ（Video Random Access Memory）を備え、入出力パネル１８０に表示される各種画像を生成するものである。そして、ＯＳＤ画像生成回路１６０は、生成された画像に対応する表示信号を重畳回路１７０に出力する。例えば、ＯＳＤ画像生成回路１６０は、イベント表示画面における各操作画像（例えば、図５（ａ）に示すメニュー画面への遷移ボタン３０１、バッテリ残高アイコン３０２、矢印ボタン３０３、３０４等）を生成する。また、例えば、ＯＳＤ画像生成回路１６０は、一覧表示画面における各操作画像（例えば、図５（ｂ）に示すバッテリ残高アイコン３０２、矢印ボタン３３１、３３２、スクロールバー３３３等）を生成する。
【００４１】
重畳回路１７０は、カメラ信号処理回路１１３、ＯＳＤ画像生成回路１６０または画像処理回路１５０から出力された各信号を重畳して画像信号とする重畳回路であり、重畳された画像信号を入出力パネル１８０に出力する。例えば、モニタリングモードが設定されている場合には、重畳回路１７０は、カメラ信号処理回路１１３から出力された映像信号と、ＯＳＤ画像生成回路１６０から出力された表示信号とを重畳して撮像画像を表示するための画像信号を生成する。また、例えば、コンテンツ再生モードが設定されている場合には、重畳回路１７０は、ＯＳＤ画像生成回路１６０から出力された表示信号と、画像処理回路１５０から出力された映像信号とを重畳して各表示画面を表示するための画像信号を生成する。このコンテンツ再生モードの設定時における表示画面は、例えば、一覧表示画面またはイベント表示画面である。
【００４２】
入出力パネル１８０は、表示面に各画像を表示するとともに、ユーザからの操作入力を受け付けるものであり、受け付けられた操作内容をマイクロプロセッサ１２０に出力する。具体的には、入出力パネル１８０は、重畳回路１７０から出力された画像信号に対応する画像を表示パネル（例えば、ＬＣＤ（Liquid Crystal Display）パネル、有機ＥＬ（Electro Luminescence）パネル）に表示する。また、入出力パネル１８０は、表示パネルに近接または接触する物体（例えば、ユーザの指）を検出すると、この検出状態を電気信号に変換し、この変換された電気信号をマイクロプロセッサ１２０に出力する。入出力パネル１８０は、例えば、表示パネルの表示面上に、透明なタッチパネルを重ね合わせることにより構成される。
【００４３】
［撮像装置の機能構成例］
図２は、本発明の第１の実施の形態における撮像装置１００の機能構成例を示すブロック図である。
【００４４】
撮像装置１００は、表示部１８１と、操作受付部２１０と、データ取得部２２０と、クラスタ生成部２３０と、画像保持部２４０と、表示制御部２５０と、制御部２６０と、コンテンツ記憶部２７０と、コンテンツ管理情報記憶部２８０とを備える。
【００４５】
コンテンツ記憶部２７０は、静止画コンテンツまたは動画コンテンツを記憶するものであり、記憶されている静止画コンテンツまたは動画コンテンツをデータ取得部２２０に供給する。なお、コンテンツ記憶部２７０は、図１に示す記録メディア１４０に対応する。
【００４６】
コンテンツ管理情報記憶部２８０は、コンテンツ記憶部２７０に記憶されているコンテンツを管理するためのコンテンツ管理情報を各コンテンツに関連付けてコンテンツ毎に記憶するものである。また、コンテンツ管理情報記憶部２８０は、記憶されているコンテンツ管理情報をデータ取得部２２０に供給する。このコンテンツ管理情報には、静止画コンテンツまたは動画コンテンツを表すサムネイル画像（インデックス画像）が含まれる。なお、コンテンツ管理情報記憶部２８０は、図１に示す記録メディア１４０に対応する。
【００４７】
表示部１８１は、表示制御部２５０の制御に基づいて、各種画像を表示する表示部である。表示部１８１は、図１に示す入出力パネル１８０に対応する。
【００４８】
操作受付部２１０は、ユーザからの操作入力を受け付ける操作受付部であり、受け付けられた操作入力に応じた操作内容を制御部２６０に出力する。なお、操作受付部２１０は、図１に示すキー入力回路１１４または入出力パネル１８０に対応する。
【００４９】
データ取得部２２０は、制御部２６０からの制御に基づいて、コンテンツ記憶部２７０またはコンテンツ管理情報記憶部２８０に記憶されているデータを取得し、取得されたデータを各部に供給するものである。また、データ取得部２２０は、取得されたデータの一部（例えば、アニメーション表示による移動対象となるサムネイル画像）を画像保持部２４０に保持させる。なお、データ取得部２２０は、図１に示す記録／再生信号処理回路１３０に対応する。
【００５０】
クラスタ生成部２３０は、制御部２６０からの制御に基づいて、データ取得部２２０から出力されたコンテンツ管理情報に基づいてクラスタを生成するものである（すなわち、クラスタリングを行う）。そして、クラスタ生成部２３０は、生成されたクラスタに関する情報（クラスタ情報）を表示制御部２５０に出力する。なお、このイベントクラスタの生成方法については、図４を参照して詳細に説明する。
【００５１】
画像保持部２４０は、データ取得部２２０から出力された画像を保持するものであり、保持されている画像を表示制御部２５０に供給する。なお、画像保持部２４０は、図１に示す記録／再生信号処理回路１３０に対応する。
【００５２】
表示制御部２５０は、制御部２６０からの制御に基づいて、データ取得部２２０から出力された画像または画像保持部２４０に保持されている画像を表示部１８１に表示させるものである。例えば、表示制御部２５０は、データ取得部２２０から出力された画像または画像保持部２４０に保持されている画像について各種の画像処理を施す。また、表示制御部２５０は、データ取得部２２０から出力されたコンテンツ管理情報と、クラスタ生成部２３０から出力されたクラスタ情報とに基づいて、イベント表示画面に表示されるイベント画像（グループ画像）を描画する。このイベント表示画面は、例えば、図５（ａ）に示すイベント表示画面３００である。また、表示制御部２５０は、データ取得部２２０から出力されたコンテンツ管理情報に基づいて、一覧表示画面（例えば、図５（ｂ）に示す一覧表示画面３３０）に表示されるサムネイル画像（インデックス画像）を描画する。また、表示制御部２５０は、イベント表示画面（グループ表示画面）および一覧表示画面の切替操作に基づいて一覧表示画面およびイベント表示画面の何れかを表示部１８１に表示させる。そして、表示制御部２５０は、その切替操作の受付時に表示されていた表示画面（一覧表示画面またはイベント表示画面）における所定位置から、その切替操作の受付後に表示される他の画面における所定位置まで、サムネイル画像をコンテンツ単位で移動させる。また、表示制御部２５０は、その移動の際に移動対象となるサムネイル画像をアニメーション表示させる。これらの表示例については、図５乃至図２５等を参照して詳細に説明する。なお、表示制御部２５０は、図１に示す画像処理回路１５０、ＯＳＤ画像生成回路１６０および重畳回路１７０に対応する。
【００５３】
制御部２６０は、撮像装置１００全体の制御を行うものである。例えば、制御部２６０は、操作受付部２１０により受け付けられたユーザからの操作入力に応じた制御を行う。なお、制御部２６０は、図１に示すマイクロプロセッサ１２０に対応する。
【００５４】
［コンテンツ記憶部およびコンテンツ管理情報記憶部の記憶内容例］
図３は、本発明の第１の実施の形態におけるコンテンツ記憶部２７０およびコンテンツ管理情報記憶部２８０の記憶内容の一例を模式的に示す図である。
【００５５】
コンテンツ記憶部２７０には、１または複数のコンテンツ（静止画コンテンツ（＃１）、動画コンテンツ（＃２）、動画コンテンツ（＃３）、…、静止画コンテンツ（＃１６）、…）が記憶されている。なお、図３に示す例では、コンテンツを矩形で模式的に示す。
【００５６】
コンテンツ管理情報記憶部２８０には、コンテンツ識別情報２８１と、日時情報２８２と、位置情報２８３と、サムネイル画像２８４とが関連付けて記憶されている。なお、図３では、コンテンツ記憶部２７０に記憶されているコンテンツと、コンテンツ管理情報記憶部２８０に記憶されているコンテンツ管理情報との対応関係を矢印で結び、対応するコンテンツおよびコンテンツ管理情報（サムネイル画像等）には同一の番号を付す。
【００５７】
コンテンツ識別情報２８１には、対応するコンテンツの識別情報（＃１乃至＃３、…、＃１６）が格納されている。
【００５８】
日時情報２８２には、対応するコンテンツの生成時（撮像動作時）における日時情報（撮影時刻）が格納される。
【００５９】
位置情報２８３には、対応するコンテンツの生成時（撮像動作時）において取得された位置情報（撮影位置）が格納される。この位置情報は、例えば、ＧＰＳ（Global Positioning System）ユニット（内蔵機器または外部機器）により取得される。このＧＰＳユニットは、ＧＰＳ信号受信アンテナにより受信されたＧＰＳ信号に基づいて位置情報を算出する。また、その算出された位置情報には、ＧＰＳ信号の受信時における緯度、経度、高度等の位置に関する各データが含まれる。なお、図３では、日時情報２８２に格納されている日時情報および位置情報２８３に格納されている位置情報については、「○」等により簡略化して示す。
【００６０】
サムネイル画像２８４には、対応するコンテンツについて生成されたサムネイル画像（インデックス画像）が格納される。例えば、対応するコンテンツが静止画コンテンツである場合には、その静止画コンテンツに対応するサムネイル画像がサムネイル画像２８４に格納される。また、対応するコンテンツが動画コンテンツである場合には、その動画コンテンツを構成する各フレームのうちの１または複数のフレーム（代表画像）に対応するサムネイル画像がサムネイル画像２８４に格納される。なお、代表画像として、先頭のフレームや特徴量が最大となるフレーム（例えば、笑顔スコアが最大となるフレーム）を用いることができる。なお、図３に示す例では、サムネイル画像については、対応するコンテンツの識別情報を内部に付した矩形により模式的に示す。
【００６１】
［クラスタの生成例］
図４は、本発明の第１の実施の形態におけるコンテンツ記憶部２７０に記憶されているコンテンツを時系列で模式的に示す図である。なお、図４では、コンテンツ（＃１乃至＃７９）を表す矩形内には、説明の容易のため、対応する符号（＃１乃至＃７９）のみを示す。また、図４では、コンテンツ（＃１乃至＃７９）のそれぞれに関連付けて記録されている日時情報（撮影時刻）に基づいて、コンテンツ（＃１乃至＃７９）を時系列で並べて示す。なお、縦軸は時間軸を示すが、この時間軸は模式的なものであり、各コンテンツの時間間隔を正確に示すものではない。
【００６２】
例えば、コンテンツ（＃１乃至＃１６）は、撮像装置１００のユーザが行った○○旅行（○○旅行２３１）で生成されたものであり、コンテンツ（＃１７乃至＃５５）は、撮像装置１００のユーザが出席した結婚式（結婚式２３２）で生成されたものとする。また、コンテンツ（＃５６乃至＃７９）は、撮像装置１００のユーザの子供の平成２１年度運動会（平成２１年度運動会２３３）で生成されたものとする。
【００６３】
次に、複数のコンテンツをクラスタリング（階層クラスタリング）するクラスタリング方法について説明する。ここで、クラスタリングとは、データの集合に対して、距離が近い複数のデータをまとめてグループ化（分類）することである。なお、本発明の第１の実施の形態では、データとしてコンテンツ（静止画コンテンツおよび動画コンテンツ）を用いる。また、コンテンツ間の距離とは、コンテンツに対応する２点の位置（地理的な位置、時間軸における位置等）間の距離を示す。また、クラスタとは、クラスタリングによってコンテンツがまとまる単位である。
【００６４】
例えば、コンテンツ間の距離として時間軸における距離を用いる場合には、クラスタ生成部２３０は、データ取得部２２０から出力されたコンテンツ管理情報（日時情報）に基づいて二分木構造データを生成する。そして、クラスタ生成部２３０は、その二分木構造データに基づいてイベントクラスタ（日時情報に基づくクラスタ）を生成する（例えば、特開２００７−９４７６２号参照。）。このイベントクラスタは、操作受付部２１０から出力されたユーザ操作（例えば、図５（ａ）に示す詳細ボタン３０７の押下後に表示される設定画面を用いたユーザ操作）に基づいて生成される。
【００６５】
また、コンテンツ間の距離として地理的な距離を用いる場合には、クラスタ生成部２３０は、データ取得部２２０から出力されたコンテンツ管理情報（位置情報）に基づいて二分木構造データを生成する。そして、クラスタ生成部２３０は、その二分木構造データに基づいてクラスタ（位置情報に基づくクラスタ）を生成する（例えば、特開２００８−２５０６０５号参照。）。
【００６６】
図４では、クラスタ生成部２３０により生成されたイベントクラスタに対応する各クラスタを構成するコンテンツを点線の矩形（○○旅行２３１、結婚式２３２、平成２１年度運動会２３３）により囲んで示す。
【００６７】
［イベント表示画面および一覧表示画面の表示例］
図５は、本発明の第１の実施の形態における表示制御部２５０により表示されるイベント表示画面（グループ表示画面）および一覧表示画面の一例を示す図である。
【００６８】
図５（ａ）には、表示制御部２５０により表示されるイベント表示画面３００を示す。イベント表示画面３００は、サムネイル画像（インデックス画像）をイベント単位（グループ単位）で表示部１８１の表示面における所定位置に配置するグループ表示画面である。具体的には、イベント表示画面３００には、イベント画像３２１乃至３２５と、メニュー画面への遷移ボタン３０１と、バッテリ残高アイコン３０２と、矢印ボタン３０３、３０４とが表示されている。また、イベント表示画面３００には、撮像モードへの遷移ボタン３０５と、ハイライト再生ボタン３０６と、詳細ボタン３０７と、イベント情報表示領域３０８と、タイムラインバー３１０とが表示されている。また、イベント表示画面３００は、例えば、コンテンツ再生モードの設定操作が行われた直後に表示される。
【００６９】
イベント画像３２１乃至３２５は、１つのイベント（グループ）を構成する各コンテンツに対応するサムネイル画像（インデックス画像）が上書き合成により形成される合成画像（グループ画像）である。例えば、図４に示すクラスタ（○○旅行２３１）を構成する各コンテンツ（＃１乃至＃１６）に対応するサムネイル画像（＃１乃至＃１６）の上書き合成によりイベント画像３２１が形成される。例えば、サムネイル画像（＃１乃至＃１６）が時系列で上書き合成されて、上側（視線方向の上側）の４つのサムネイル画像（＃１乃至＃４）によりイベント画像３２１が形成される。この場合に、合成対象となるサムネイル画像として、その長手方向における両端部がトリミングされた画像が用いられる。すなわち、イベント画像では、イベントのイメージをユーザに把握させるため、イベントに関する画像を狭い領域内に比較的多く表示する必要がある。このため、合成対象となるサムネイル画像として、トリミング画像（例えば、正方形）を用いて、これらのトリミング画像を重ねて合成する。これに対して、図５（ｂ）に示す一覧表示画面３３０では、サムネイル画像を正確に見せるため、トリミング画像ではなく、元のサムネイル画像（例えば、長方形）を表示する。
【００７０】
また、そのトリミングされた画像（サムネイル画像）は、所定角度だけ回転させて水平方向に対して傾けたものが用いられる。なお、図５では、コンテンツ（＃１乃至＃４等）を表す矩形内には、説明の容易のため、対応する符号（＃１乃至＃４等）のみを示す。また、イベント画像の合成パターン（合成対象となる各サムネイル画像の合成位置および回転角度）は、複数種類とすることができる（例えば、５パターン程度）。この合成パターンは、デザイン的な観点から予め設定しておくようにしてもよく、ユーザ操作により設定するようにしてもよい。
【００７１】
また、イベント画像３２１乃至３２５は、イベント表示画面３００において、イベント単位（グループ単位）で所定位置に配置される。この所定位置は、例えば、表示部１８１の表示面（イベント表示画面３００）の特定方向（水平方向）における位置である。例えば、その所定位置は、その特定方向における５つの位置（中心位置（すなわち、イベント画像３２１の位置）、中心位置から端部側への４つの位置（すなわち、イベント画像３２２乃至３２５の位置））である。この場合に、例えば、中心位置のイベント画像を他のイベント画像よりも大きくして、端部側に向かうに従ってイベント画像を小さくする。
【００７２】
また、イベント画像３２１乃至３２５の選択操作が行われた場合には、図５（ｂ）に示す一覧表示画面３３０が表示部１８１に表示される。この選択操作は、例えば、イベント表示画面３００の特定方向（水平方向）における中心位置に配置されているイベント画像３２１の押下操作により行われる。なお、その選択操作（切替操作）が行われた際におけるイベント表示画面３００から一覧表示画面３３０への遷移については、図６乃至図９等を参照して詳細に説明する。
【００７３】
メニュー画面への遷移ボタン３０１は、メニュー画面に遷移する際に押下されるアイコンである。すなわち、メニュー画面への遷移ボタン３０１が押下されると、表示部１８１にメニュー画面が表示される。
【００７４】
バッテリ残高アイコン３０２は、撮像装置１００に内蔵するバッテリの残高を表すアイコンである。また、図５（ｂ）に示すバッテリ残高アイコン３０２についても同様である。
【００７５】
矢印ボタン３０３、３０４は、イベント表示画面３００に表示されているイベント画像３２１乃至３２５を水平方向に移動させる際に用いられるアイコンである。例えば、矢印ボタン３０３が１度だけ押下された場合には、イベント画像３２１乃至３２５が１つ分だけ水平方向に移動する。この移動により中心位置にイベント画像３２４が配置され、イベント画像３２３が消去され、右端部側には新たなイベント画像が表示される。また、矢印ボタン３０４を用いたイベント画像の右方向への移動についても同様に行うことができる。なお、イベント画像３２１乃至３２５を水平方向に移動させるフリック操作によりイベント画像３２１乃至３２５を水平方向に移動させることも可能である。このフリック操作は、入出力パネル１８０の表示面に指を接触させた状態で、目的とする方向および移動量だけ指で軽くはらう操作を意味する。また、イベント画像３２２乃至３２５のうちの何れかのイベント画像が押下された場合には、その押下されたイベント画像が中心位置となるようにイベント画像３２１乃至３２５が水平方向に移動される。
【００７６】
撮像モードへの遷移ボタン３０５は、撮像動作を開始するための撮像モードに遷移する際に押下されるアイコンである。すなわち、撮像モードへの遷移ボタン３０５が押下されると、コンテンツ再生モードから撮像モードに切り替えられる。また、図５（ｂ）に示す撮像モードへの遷移ボタン３０５についても同様である。
【００７７】
ハイライト再生ボタン３０６は、イベント表示画面３００に表示されているイベント画像に対応するイベントに属する各コンテンツについてハイライト再生を行う際に押下されるアイコンである。例えば、ハイライト再生ボタン３０６が押下された場合には、イベント表示画面３００の水平方向における中心位置に配置されているイベント画像３２１に対応する各コンテンツについてハイライト再生が行われる。このハイライト再生は、再生対象となる各コンテンツのうちの一部のシーン（例えば、盛り上がりシーン）を自動的に抽出して再生を行う機能である。
【００７８】
詳細ボタン３０７は、イベント表示画面３００に表示されているイベント画像に対応するイベントクラスタの粒度を変更するための設定画面に遷移する際に押下されるアイコンである。これにより、イベントクラスタの変更を容易に行うことができ、ユーザ好みのイベント画像を容易に表示させることができる。
【００７９】
イベント情報表示領域３０８は、イベント表示画面３００に表示されているイベント画像に対応するイベントクラスタに関する情報を表示する領域である。例えば、イベント表示画面３００の水平方向における中心位置に配置されているイベント画像３２１を構成するサムネイル画像のうち、一番上側（視線方向の一番上側）に配置されているサムネイル画像に対応するコンテンツに関する日時情報が表示される。
【００８０】
タイムラインバー３１０は、時間軸を表す棒状の表示領域であり、この表示領域上において、表示対象となるイベント画像に対応する位置（時間軸上の位置）に標識が配置される。例えば、タイムラインバー３１０において、イベント表示画面３００の水平方向における中心位置に配置されているイベント画像３２１に対応する位置に黒丸標識３１１が配置される。また、タイムラインバー３１０において、イベント画像３２１以外のイベント画像に対応する位置に白抜き菱形標識が配置される。例えば、イベント画像に対応する位置として、イベント情報表示領域３０８に表示される情報と同様に、イベント画像を構成するサムネイル画像のうち、一番上側に配置されているサムネイル画像に対応するコンテンツに関する日時情報が用いられる。
【００８１】
図５（ｂ）には、表示制御部２５０により表示される一覧表示画面３３０を示す。一覧表示画面３３０は、１または複数のグループに属するコンテンツ（再生対象となるコンテンツ）を選択するためのサムネイル画像（インデックス画像）をコンテンツ単位で表示部１８１の表示面における所定位置に配置する画面である。
【００８２】
具体的には、一覧表示画面３３０には、バッテリ残高アイコン３０２と、矢印ボタン３３１、３３２と、スクロールバー３３３と、再生モード設定画面への遷移ボタン３３４と、「×」ボタン３３５と、サムネイル画像表示領域３４０とが設けられている。
【００８３】
矢印ボタン３３１、３３２、スクロールバー３３３は、サムネイル画像表示領域３４０に表示されているサムネイル画像を上下方向に移動させて他のサムネイル画像を表示させるスクロール操作を行う際に用いられるものである。
【００８４】
再生モード設定画面への遷移ボタン３３４は、コンテンツ再生モードに関する各種設定を行うための設定画面に遷移する際に押下されるアイコンである。例えば、再生モード設定画面への遷移ボタン３３４が押下された場合には、再生対象とするコンテンツの種類を設定するための設定画面が表示される。この設定画面において、動画コンテンツ、静止画コンテンツ、ＭＩＸ（動画コンテンツおよび静止画コンテンツの混在）のうちの何れかがユーザ操作により選択されて設定される。この設定画面において設定されたコンテンツ（動画コンテンツ、静止画コンテンツまたはＭＩＸ）に対応するサムネイル画像のみがサムネイル画像表示領域３４０に表示される。また、その設定画面における設定内容に応じて、再生モード設定画面への遷移ボタン３３４の表示態様が変更される。図５（ｂ）では、その設定画面においてＭＩＸが選択された場合における再生モード設定画面への遷移ボタン３３４を示す。
【００８５】
「×」ボタン３３５は、表示部１８１における表示状態を一覧表示画面３３０からイベント表示画面３００に切り替える際に押下されるアイコンである。すなわち、「×」ボタン３３５が押下された場合には、図５（ａ）に示すイベント表示画面３００が表示部１８１に表示される。なお、その押下操作（切替操作）が行われた際における一覧表示画面３３０からイベント表示画面３００への遷移については、図１０乃至図１３等を参照して詳細に説明する。
【００８６】
サムネイル画像表示領域３４０は、コンテンツ管理情報記憶部２８０に記憶されているサムネイル画像を表示する領域であり、例えば、４×４のマトリクス状にサムネイル画像が一覧表示される。すなわち、コンテンツ記憶部２７０に記憶されているコンテンツを選択するためのサムネイル画像がサムネイル画像表示領域３４０に一覧表示される。これらのサムネイル画像は、時系列で連続してサムネイル画像表示領域３４０に配置される。また、サムネイル画像表示領域３４０に一覧表示されているサムネイル画像を選択することにより、選択されたサムネイル画像に対応するコンテンツを再生させることができる。ここで、サムネイル画像を選択する選択操作は、入出力パネル１８０におけるタッチ操作により行うようにしてもよく、キー入力回路１１４からの操作入力により行うようにしてもよい。例えば、入出力パネル１８０において選択操作を行う場合には、サムネイル画像表示領域３４０に一覧表示されているサムネイル画像のうち、所望のサムネイル画像の表示領域に指を接触することにより行う。また、例えば、キー入力回路１１４からの操作入力により選択操作を行う場合には、十字キーおよび決定キーを用いた選択操作を行う。なお、図５（ｂ）に示す例では、説明の容易のため、各サムネイル画像を示す矩形内には、図３等に示す各サムネイル画像と同一の文字を付す。
【００８７】
このように、表示制御部２５０は、１つのイベント（グループ）を構成する各コンテンツに対応するサムネイル画像（インデックス画像）を連続して並べて配置する画面（一覧表示画面３３０）を表示部１８１に表示させる。この一覧表示画面３３０では、サムネイル画像の長手方向が特定方向となるように並べて配置される。
【００８８】
ここで、例えば、イベント表示画面３００においてイベント画像が選択された直後に、一覧表示画面３３０が表示される場合を想定する。この場合には、選択されたイベント画像の位置（表示面における位置）とは無関係に、このイベント画像に対応するイベントに属するコンテンツのサムネイル画像が一覧表示画面３３０に表示される。このため、イベント画像と、これに対応するサムネイル画像との対応関係を直感的に把握し難いことが想定される。
【００８９】
また、例えば、一覧表示画面３３０からイベント表示画面３００への切替操作が行われた直後に、イベント表示画面３００が表示される場合を想定する。この場合には、一覧表示画面３３０に表示されていたサムネイル画像の位置（表示面における位置）とは無関係に、イベント表示画面３００が表示される。このため、サムネイル画像と、これに対応するイベント画像との対応関係を直感的に把握し難いことが想定される。そこで、本発明の第１の実施の形態では、イベント表示画面および一覧表示画面の切替操作時に、サムネイル画像（インデックス画像）を移動させながらアニメーション表示させる。以下では、この表示遷移例を示す。
【００９０】
［イベント表示画面から一覧表示画面への遷移例］
図６乃至図９は、本発明の第１の実施の形態における表示制御部２５０により表示される表示画面の遷移例を示す図である。図６乃至図９では、イベント表示画面から一覧表示画面への切替操作が行われた場合における遷移例を示す。
【００９１】
図６（ａ）には、表示制御部２５０により表示されるイベント表示画面３００を示す。図６（ａ）に示すイベント表示画面３００は、図５（ａ）と同様である。ここで、イベント表示画面３００に表示されているイベント画像３２１を選択する選択操作が行われた場合を想定する。この選択操作は、イベント表示画面から一覧表示画面への切替操作であり、入出力パネル１８０の表示面におけるイベント画像３２１の何れかの部分をユーザがタッチすることにより行われる。この選択操作が行われた後に表示される表示画面例を図６（ｂ）に示す。
【００９２】
図６（ｂ）には、表示制御部２５０により表示される遷移画面３５０を示す。遷移画面３５０は、図６（ａ）に示すイベント表示画面３００において、イベント画像３２１を選択する選択操作が行われた直後に表示される表示画面であり、イベント表示画面から一覧表示画面に切り替わる間に表示される遷移画面である。
【００９３】
図６（ｂ）に示すように、イベント画像３２１を選択する選択操作が行われた直後には、イベント画像３２１以外の画像が消去される。この消去対象となる各画像については、表示画面の外側に移動するように（略放射状に移動するように）アニメーション表示を行うことにより消去することができる。このように、選択操作が行われたイベント画像のみを表示して、他の画像を消去することにより、選択操作が行われたイベント画像をユーザが容易に認識することができる。また、選択操作が行われたイベント画像を拡大して仮想的に浮かび上がらせるように表示するようにしてもよい。この例を図２９に示す。
【００９４】
図７、図８、図９（ａ）には、表示制御部２５０により表示される遷移画面３５１乃至３５５を示す。この例では、説明の容易のため、サムネイル画像のアニメーション表示として遷移画面３５１乃至３５５のみを代表して示す。遷移画面３５１乃至３５５は、図６（ｂ）に示す遷移画面３５０から、図９（ｂ）に示す一覧表示画面３３０に遷移する間に表示される遷移画面であり、一覧表示画面３３０における対応位置までばらける様子をアニメーション表示により表す遷移画像である。
【００９５】
すなわち、図６（ｂ）に示す遷移画面３５０に表示されているイベント画像３２１に対応するイベントに属するサムネイル画像（＃１乃至＃１６）が略放射状に移動するように、サムネイル画像（＃１乃至＃１６）がアニメーション表示される。この場合に、上書き合成されているサムネイル画像（＃１乃至＃４）以外のサムネイル画像（＃５乃至＃１６）については、イベント画像３２１の後ろ側から順次出現するようにアニメーション表示される。
【００９６】
このように、表示制御部２５０は、イベント画像３２１として上側に表示されているサムネイル画像（＃１乃至＃４）についてはその表示位置から一覧表示画面３３０における所定位置まで移動させる。また、表示制御部２５０は、イベント画像３２１として上側に表示されていないサムネイル画像（＃５乃至＃１６）についてはイベント画像３２１における所定位置から一覧表示画面３３０における所定位置まで移動させる。また、表示制御部２５０は、イベント表示画面３００に含まれるイベント画像３２１乃至３２５のうち特定位置（中心位置）に配置されているイベント画像３２１に係るサムネイル画像のみをアニメーション表示させる。
【００９７】
図９（ｂ）には、表示制御部２５０により表示される一覧表示画面３３０を示す。一覧表示画面３３０は、図５（ｂ）と同様である。このように、表示制御部２５０は、イベント表示画面３００における所定位置から一覧表示画面３３０における所定位置までサムネイル画像（＃１乃至＃１６）を移動させた場合には、一覧表示画面３３０を表示させる。すなわち、サムネイル画像（＃１乃至＃１６）以外の他の画像が付加された一覧表示画面３３０が表示される。この一覧表示画面３３０において、所望のサムネイル画像を選択する選択操作が行われた場合には、その選択されたサムネイル画像に対応するコンテンツが再生される。
【００９８】
［一覧表示画面からイベント表示画面への遷移例］
図１０乃至図１３は、本発明の第１の実施の形態における表示制御部２５０により表示される表示画面の遷移例を示す図である。図１０乃至図１３では、一覧表示画面からイベント表示画面への切替操作が行われた場合における遷移例を示す。
【００９９】
図１０（ａ）には、表示制御部２５０により表示される一覧表示画面３３０を示す。図１０（ａ）に示す一覧表示画面３３０は、図５（ｂ）と同様である。ここで、一覧表示画面３３０に表示されている「×」ボタン３３５を押下する押下操作（切替操作）が行われた場合を想定する。この押下操作は、一覧表示画面からイベント表示画面への切替操作であり、入出力パネル１８０の表示面における「×」ボタン３３５の部分をユーザがタッチすることにより行われる。この押下操作が行われた後に表示される表示画面例を図１０（ｂ）に示す。
【０１００】
図１０（ｂ）には、表示制御部２５０により表示される遷移画面３６０を示す。遷移画面３６０は、図１０（ａ）に示す一覧表示画面３３０において「×」ボタン３３５を押下する押下操作が行われた直後に表示される表示画面であり、一覧表示画面からイベント表示画面に切り替わる間に表示される遷移画面である。
【０１０１】
図１０（ｂ）に示すように、「×」ボタン３３５を押下する押下操作が行われた直後には、サムネイル画像表示領域３４０に含まれるサムネイル画像（＃１乃至＃１６）以外の画像が消去される。この消去対象となる各画像については、図６（ｂ）に示す例と同様に、表示画面の外側に移動するように（略放射状に移動するように）アニメーション表示を行うことにより消去することができる。このように、アニメーション処理の対象となるサムネイル画像のみを表示して、他の画像を消去することにより、アニメーション処理の対象となるサムネイル画像をユーザが容易に認識することができる。
【０１０２】
図１１、図１２、図１３（ａ）には、表示制御部２５０により表示される遷移画面３６１乃至３６５を示す。この例では、説明の容易のため、サムネイル画像のアニメーション表示として遷移画面３６１乃至３６５のみを代表して示す。遷移画面３６１乃至３６５は、図１０（ｂ）に示す遷移画面３６０から、図１３（ｂ）に示すイベント表示画面３００に遷移する間に表示される遷移画面であり、イベント表示画面３００における対応位置まで集まる様子をアニメーションにより表す遷移画像である。
【０１０３】
すなわち、図１０（ｂ）に示す遷移画面３６０に表示されているサムネイル画像（＃１乃至＃１６）がイベント画像の配置位置（中央の位置）に移動するように、サムネイル画像（＃１乃至＃１６）がアニメーション表示される。この場合に、上書き合成されるサムネイル画像（＃１乃至＃４）以外のサムネイル画像（＃５乃至＃１６）については、イベント画像３２１の後ろ側に隠れるようにアニメーション表示される。
【０１０４】
図１３（ｂ）には、表示制御部２５０により表示されるイベント表示画面３００を示す。イベント表示画面３００は、図５（ａ）に示すイベント表示画面３００と同様である。このように、表示制御部２５０は、一覧表示画面３３０における所定位置からイベント表示画面３００における所定位置までサムネイル画像（＃１乃至＃１６）を移動させた場合には、イベント表示画面３００を表示させる。すなわち、サムネイル画像（＃１乃至＃１６）以外の他の画像が付加されたイベント表示画面３００が表示される。このイベント表示画面３００において、イベント画像を移動する移動操作が行われた場合には、その移動操作に応じてイベント画像が移動させる。
【０１０５】
［移動対象のサムネイル画像の遷移例］
図１４および図１５は、本発明の第１の実施の形態における表示部１８１の表示画面と、この表示画面において移動対象となるサムネイル画像との関係を示す図である。図１４および図１５では、表示部１８１における表示画面を矩形状とした場合におけるその左上隅を原点（０，０）とし、横軸をｘ軸とし、縦軸をｙ軸とするｘｙ座標上において、サムネイル画像を移動させる場合を例にして説明する。また、図１４および図１５では、イベント表示画面に表示されるイベント画像を構成するサムネイル画像のうち、一番上側に重ねられているサムネイル画像を移動させる場合を例にして説明する。
【０１０６】
図１４（ａ）には、イベント表示画面に対応する矩形５００を示す。この矩形５００において、イベント表示画面（例えば、図５（ａ）に示すイベント表示画面３００）に配置されるイベント画像のそれぞれを点線（ただし、矩形５０１のみは実線で示す）で示す。なお、点線の矩形５０２は、中央に配置されるイベント画像に係るイベントに属するコンテンツのサムネイル画像のうち、上側に合成されていないサムネイル画像を移動させる際の基準位置を示す矩形である。
【０１０７】
図１４（ｂ）には、一覧表示画面に対応する矩形５０５を示す。この矩形５０５において、一覧表示画面（例えば、図５（ｂ）に示す一覧表示画面３３０）に配置されるサムネイル画像、矢印ボタン、スクロールバー等のそれぞれを点線（ただし、矩形５０６のみは実線で示す）で示す。ここで、矩形５００および５０５のｘ軸方向の長さをＷとし、ｙ軸方向の長さをＨとする。
【０１０８】
図１５では、矩形５０１の位置に配置されるサムネイル画像を矩形５０６の位置まで移動させる場合と、矩形５０６の位置に配置されるサムネイル画像を矩形５０１の位置まで移動させる場合とを例にして説明する。
【０１０９】
図１５（ａ）には、矩形５０１の位置に配置されるサムネイル画像を矩形５０６の位置まで移動させる場合におけるサムネイル画像の遷移の一例を概略的に示す。
【０１１０】
図１５（ａ）には、図１４（ａ）および（ｂ）に示す矩形５００および５０５において、サムネイル画像等を表す点線が消去され、矩形５０１および５０６のみが配置された場合における矩形５１０を示す。図１５（ａ）に示す矩形５１０において、矩形５０１の左上隅の点を座標（ｘ１，ｙ１）とし、矩形５０１のｘ軸方向に対応する一辺の長さをｗ１とし、ｙ軸方向に対応する一辺の長さをｈ１とし、水平方向に対する矩形５０１の回転角度をθ１とする。また、矩形５０６の左上隅の点を座標（ｘ２，ｙ２）とし、矩形５０６のｘ軸方向の一辺の長さをｗ２とし、ｙ軸方向の一辺の長さをｈ２とし、水平方向に対する矩形５０６の回転角度を０度とする。また、図１５（ａ）では、矩形５０１から矩形５０６までの移動の軌跡として、各矩形の各頂点の移動の軌跡を太線の矢印５１１乃至５１４で示す。
【０１１１】
最初に、矩形５０１の位置を基準位置とし、この基準位置からサムネイル画像を順次移動させながらアニメーション処理をする場合について説明する。ここで、アニメーション処理の対象となるサムネイル画像に対応する矩形の左上隅の点を座標（ｘ，ｙ）とし、この矩形のｘ軸方向に対応する一辺の長さをｗとし、ｙ軸方向に対応する一辺の長さをｈとし、水平方向に対する回転角度をθとする。この場合に、次の式１乃至式５により、アニメーション処理の対象となるサムネイル画像の位置、サイズおよび回転角度が求められる。
ｘ＝ｘ１＋（ｘ２−ｘ１）×ａ  …式１
ｙ＝ｙ１＋（ｙ２−ｙ１）×ａ  …式２
ｗ＝ｗ１＋（ｗ２−ｗ１）×ａ  …式３
ｈ＝ｈ１＋（ｈ２−ｈ１）×ａ  …式４
θ＝θ１−θ１×ａ  …式５
【０１１２】
ここで、ａは、時間の経過に応じて変化するパラメータであり、例えば、図１６（ａ）に示すグラフ上における曲線によりパラメータａが順次決定される。
【０１１３】
ここで、本発明の第１の実施の形態では、一覧表示画面における特定方向（例えば、水平方向および垂直方向）において隣接する各サムネイル画像の単位時間当たりの移動速度の変化率が異なるように各サムネイル画像を移動させる例を示す。このため、一覧表示画面における特定方向において隣接する各サムネイル画像については、異なるパラメータを用いるようにする。例えば、図１６（ａ）に示すパラメータａ、ｂ、ｃの何れかを用いることができる。すなわち、式１乃至式５におけるａの代わりに、パラメータｂ、ｃを用いることにより、各サムネイル画像の単位時間当たりの移動速度の変化率が異なるようにすることができる。なお、サムネイル画像の位置（表示面における位置）と、移動の際に用いられるパラメータａ、ｂ、ｃとの関係については、図１６（ｂ）に示す。
【０１１４】
図１６は、本発明の第１の実施の形態における表示制御部２５０によりサムネイル画像が移動される際に用いられるパラメータａ、ｂ、ｃと時間軸との関係を示す図である。
【０１１５】
図１６（ａ）には、パラメータａ、ｂ、ｃと時間軸との関係を表すグラフを示す。図１６（ａ）に示すグラフは、横軸を時間軸（ｔ）とし、縦軸をパラメータａ、ｂ、ｃを示す軸とするグラフである。例えば、図１６（ａ）に示すグラフにおいて、サムネイル画像の移動処理の開始時をｔ＝０とし、サムネイル画像の移動処理の終了時をｔ＝ｔ１とする。
【０１１６】
図１６（ａ）に示すように、パラメータａを用いてサムネイル画像を移動させる場合には、最初はサムネイル画像が大きく変化するが、時間の経過に応じてサムネイル画像の変化の割合が低下する。すなわち、単位時間当たりの移動距離を減少させながら移動処理を行う。また、パラメータｂを用いてサムネイル画像を移動させる場合には、時間の経過に応じて画像の変化の割合が一定である。すなわち、単位時間当たりの移動距離を一定として移動処理を行う。また、パラメータｃを用いてサムネイル画像を移動させる場合には、最初はサムネイル画像が小さく変化するが、時間の経過に応じてサムネイル画像の変化の割合が大きくなる。すなわち、単位時間当たりの移動距離を拡大させながら移動処理を行う。
【０１１７】
図１６（ｂ）には、サムネイル画像の位置（表示面における位置）と、移動の際に用いられるパラメータａ、ｂ、ｃとの関係を示す。具体的には、図１６（ｂ）には、図５（ｂ）に示す一覧表示画面３３０において各サムネイル画像の矩形内に付された符号（＃１乃至＃１６）の代わりに、各サムネイル画像に用いられるパラメータａ、ｂ、ｃを表す符合（ａ、ｂ、ｃ）を示す。
【０１１８】
図１６（ｂ）に示すように、一覧表示画面３３０における特定方向（水平方向および垂直方向）において隣接する各サムネイル画像については、異なるパラメータａ、ｂ、ｃを用いるようにする。なお、図１６（ｂ）に示す例は、一例であり、他のパターンを用いるようにしてもよい。また、イベント表示画面および一覧表示画面の切替操作が行われる毎にパターンを変更するようにしてもよい。
【０１１９】
このように、異なるパラメータを用いることにより、移動元から移動先までの間に、サムネイル画像の単位時間当たりの回転速度の変化率と、サムネイル画像の単位時間当たりの移動速度の変化率とを関連付けてアニメーション表示を行うことができる。
【０１２０】
図１５（ｂ）には、矩形５０６の位置に配置されるサムネイル画像を矩形５０１の位置まで移動させる場合におけるサムネイル画像の遷移の一例を概略的に示す。
【０１２１】
図１５（ｂ）には、図１５（ａ）と同様に、図１４（ａ）および（ｂ）に示す矩形５００および５０５において、サムネイル画像等を表す点線が消去され、矩形５０１および５０６のみが配置された場合における矩形５２０を示す。また、図１５（ｂ）に示す矩形５２０において、矩形５０１および５０６の左上隅の点の座標、一辺の長さ、回転角度についても、図１５（ａ）と同様とする。また、図１５（ｂ）では、矩形５０６から矩形５０１までの移動の軌跡として、各矩形の各頂点の移動の軌跡を太線の矢印５２１乃至５２４で示す。
【０１２２】
最初に、矩形５０６の位置を基準位置とし、この基準位置からサムネイル画像を順次移動させながらアニメーション処理をする場合について説明する。ここで、アニメーション処理の対象となるサムネイル画像に対応する矩形の左上隅の点を座標（ｘ，ｙ）とし、この矩形のｘ軸方向に対応する一辺の長さをｗとし、ｙ軸方向に対応する一辺の長さをｈとし、水平方向に対する回転角度をθとする。この場合に、次の式６乃至式１０により、アニメーション処理の対象となる画像の位置、サイズおよび回転角度が求められる。
ｘ＝ｘ２−（ｘ２−ｘ１）×ａ  …式６
ｙ＝ｙ２−（ｙ２−ｙ１）×ａ  …式７
ｗ＝ｗ２−（ｗ２−ｗ１）×ａ  …式８
ｈ＝ｈ２−（ｈ２−ｈ１）×ａ  …式９
θ＝θ１×ａ  …式１０
【０１２３】
ここで、ａは、図１５（ａ）と同様に、時間の経過に応じて変化するパラメータであり、例えば、図１６（ａ）に示すグラフ上における曲線によりパラメータａが順次決定される。
【０１２４】
また、図１５（ａ）と同様に、一覧表示画面における特定方向において隣接する各サムネイル画像については、異なるパラメータを用いるようにする。また、サムネイル画像の位置（表示面における位置）と、移動の際に用いられるパラメータａ、ｂ、ｃとの関係についても、図１５（ａ）と同様とすることができる。
【０１２５】
このように、一覧表示画面において隣接するサムネイル画像を移動させる場合において、サムネイル画像間の変化の割合を変更することにより、重なり合う実際の写真を手で散らしたり、手で集めたりするようにサムネイル画像を表示させることができる。これにより、イベント表示画面と一覧表示画面との切替時に、実際の写真を手で散らしたり、手で集めて重ねたりするような面白みのあるアニメーション表示をユーザに提供することができる。
【０１２６】
なお、図１４乃至図１６に示す例では、移動対象となるサムネイル画像については、予め設定されている直線上を移動させる例を示すが、他の軌跡となるように移動させるようにしてもよい。例えば、予め設定されている曲線上を移動させるようにしてもよく、サムネイル画像の位置毎に直線または曲線を設定しておき、この設定に係る線上を移動させるようにしてもよい。
【０１２７】
［サムネイル画像の遷移例］
上述したように、イベント表示画面には、一覧表示画面に表示されるサムネイル画像の長手方向における両端部がトリミングされた画像が表示される。このため、イベント表示画面におけるサムネイル画像から、一覧表示画面におけるサムネイル画像に遷移する場合には、トリミングされた画像をサムネイル画像に順次付加しながらアニメーション表示が行われる。一方、一覧表示画面におけるサムネイル画像から、イベント表示画面におけるサムネイル画像に遷移する場合には、サムネイル画像における両端部の画像を順次消去しながらアニメーション表示が行われる。この例を図１７に示す。
【０１２８】
図１７は、本発明の第１の実施の形態における表示制御部２５０により表示されるサムネイル画像の遷移例を示す図である。なお、図１７では、説明の容易のため、サムネイル画像の拡大縮小を行わない場合を例にして説明する。
【０１２９】
図１７（ａ）には、アスペクト比が「１６：９」であるサムネイル画像の遷移例を示す。この例では、イベント表示画面におけるサムネイル画像５２１から、一覧表示画面におけるサムネイル画像５２３に遷移する場合を例にして説明する。
【０１３０】
図１７（ａ）に示す例では、サムネイル画像５２１のｘ軸方向に対応する一辺の長さをｗ１０とし、ｙ軸方向に対応する一辺の長さをｈ１０とし、水平方向に対する回転角度をθ１０とする。また、サムネイル画像５２１は、サムネイル画像５２３の長手方向における両端部の画像（領域Ｗ１２に対応する画像）がトリミングされた画像であるものとする。
【０１３１】
上述したように、サムネイル画像５２１の位置を基準位置とし、この基準位置からサムネイル画像を順次移動させながらアニメーション表示が行われる。この場合に、サムネイル画像５２３からトリミングされた画像の一部（例えば、領域Ｗ１１に対応する画像）がサムネイル画像に順次付加されながらアニメーション表示（例えば、領域Ｗ１１に対応する画像が付加されたサムネイル画像５２２）が行われる。
【０１３２】
図１７（ｂ）には、アスペクト比が「４：３」であるサムネイル画像の遷移例を示す。この例では、イベント表示画面におけるサムネイル画像５３１から、一覧表示画面におけるサムネイル画像５３３に遷移する場合を例にして説明する。
【０１３３】
図１７（ｂ）に示す例では、図１７（ａ）と同様に、サムネイル画像５３１のｘ軸方向に対応する一辺の長さをｗ１０とし、ｙ軸方向に対応する一辺の長さをｈ１０とし、水平方向に対する回転角度をθ１０とする。また、サムネイル画像５３１は、アスペクト比が「４：３」である画像であるものとする。また、サムネイル画像５３３は、その長手方向における両端部に所定画像（領域Ｗ１２における黒色画像）が付加された画像であるものとする。
【０１３４】
上述したように、サムネイル画像５３１の位置を基準位置とし、この基準位置からサムネイル画像を順次移動させながらアニメーション表示が行われる。この場合に、サムネイル画像５３１は、アスペクト比が「４：３」である画像であるため、トリミングされた画像が比較的少ない。このトリミングされた画像は、例えば、領域Ｗ１２に対応する画像のうち黒色画像以外の画像である。そして、サムネイル画像５３１には、トリミングされた画像の一部（例えば、領域Ｗ１２に対応する画像のうち黒色画像以外の画像）がサムネイル画像に順次付加されながらアニメーション表示が行われる。ただし、トリミングされた画像の全部がサムネイル画像に付加された後には、所定画像（例えば、領域Ｗ１１における黒色画像）がサムネイル画像に順次付加されながらアニメーション表示が行われる。例えば、領域Ｗ１１に対応する画像が付加されたサムネイル画像５３２がアニメーション表示される。
【０１３５】
また、アスペクト比が混在しているサムネイル画像が１つのイベントに属する場合には、そのアスペクト比に応じて、各サムネイル画像についてアニメーション表示が行われる。
【０１３６】
このように、表示制御部２５０は、イベント表示画面に含まれるサムネイル画像と一覧表示画面に含まれるサムネイル画像とを異なるサイズとして表示させる。そして、表示制御部２５０は、一方の画面に含まれるサムネイル画像のサイズが、他方の画面に含まれるサムネイル画像のサイズとなるように、移動対象となるサムネイル画像のサイズを変更しながらアニメーション表示を行う。また、表示制御部２５０は、移動の際における移動元から移動先までの間に、サムネイル画像の単位時間当たりの元の画像の付加の割合の変化率と、サムネイル画像の単位時間当たりの移動速度の変化率とを関連付けてアニメーション表示を行う。同様に、表示制御部２５０は、移動の際における移動元から移動先までの間に、回転対象となるサムネイル画像が移動先の角度となるようにそのサムネイル画像の角度を変更しながらアニメーション表示を行う。
【０１３７】
ここで、図６乃至図９を参照して、式１乃至式５を用いて移動されるサムネイル画像の遷移例について説明する。
【０１３８】
例えば、図５（ａ）に示すイベント表示画面３００に表示されているイベント画像３２１乃至３２５およびこれらに係るサムネイル画像が画像保持部２４０に保持されている。そして、イベント表示画面３００においてイベント画像３２１を選択する選択操作が操作受付部２１０により受け付けられた場合を想定する。この場合には、表示制御部２５０が、画像保持部２４０に保持されているサムネイル画像（＃１乃至＃１６）を移動させながらアニメーション表示を行う。この移動処理により移動されたサムネイル画像（＃１乃至＃１６）を表示制御部２５０が表示部１８１に順次表示させる。
【０１３９】
例えば、イベント画像３２１の上側に重ねられているサムネイル画像（＃１）が、一覧表示画面３３０におけるサムネイル画像（＃１）の位置に移動されるまでアニメーション処理が行われる。すなわち、図１５（ａ）に示す矢印５１１乃至５１４に示すように、サムネイル画像（＃１）が移動しながら表示部１８１に順次表示される。この場合には、移動されるサムネイル画像（＃１）の各頂点が、矩形５０１の頂点と矩形５０６の頂点とを結ぶ線（矢印５１１乃至５１４に対応する線）に沿って移動される。そして、イベント表示画面３００におけるサムネイル画像（＃１）が、一覧表示画面３３０におけるサムネイル画像（＃１）の位置に移動された場合には、表示制御部２５０が、一覧表示画面３３０における他の画像を表示部１８１に表示させる。
【０１４０】
［イベント表示画面から一覧表示画面への遷移例］
図１８乃至図２１は、本発明の第１の実施の形態における表示制御部２５０により表示される表示画面の遷移例を示す図である。図１８乃至図２１では、イベント表示画面３００から一覧表示画面３３０への切替操作が行われた場合における遷移例を示す。なお、図１８乃至図２１に示す遷移例は、図６乃至図９に示す遷移例において、サムネイル画像を示す矩形内に符号を付す代わりに、画像を付したものである。これ以外の点については、図６乃至図９と略同様であるため、ここでの詳細な説明を省略する。
【０１４１】
なお、一覧表示画面３３０からイベント表示画面３００への遷移例（図１０乃至図１３に対応する遷移例（画像を付した遷移例））については、その図示を省略する。
【０１４２】
［イベント表示画面から一覧表示画面への遷移例］
図２２乃至図２５は、本発明の第１の実施の形態における表示制御部２５０により表示される表示画面の遷移例を示す図である。図２２乃至図２５では、イベント表示画面３００から一覧表示画面３３０への切替操作が行われた場合における遷移の変形例を示す。すなわち、図６乃至図９、図１８乃至図２１では、イベント画像３２１の上側（視線方向の上側）に表示されているサムネイル画像（＃１乃至＃４）が、一覧表示画面３３０のサムネイル画像表示領域３４０の最下段のラインに配置される例を示した。図２２乃至図２５では、イベント画像３２６の上側に表示されているサムネイル画像（＃１３乃至＃１６）が、一覧表示画面３３０のサムネイル画像表示領域３４０の最上段のラインに配置される例を示す（遷移画面３７０乃至３７５）。
【０１４３】
なお、イベント画像の上側に表示されているサムネイル画像の移動先がサムネイル画像表示領域３４０の最上段のラインである点以外については、図６乃至図９、図１８乃至図２１と略同様であるため、ここでの詳細な説明を省略する。
【０１４４】
また、本発明の第１の実施の形態では、イベント画像の上側に表示されているサムネイル画像を、サムネイル画像表示領域の最上段または最下段のラインまで移動させて配置する例を示すが、他のラインまで移動させて配置するようにしてもよい。例えば、イベントの象徴となるコンテンツ（例えば、ユーザ設定、特徴量に基づく自動設定）のサムネイル画像をイベント画像の上側に表示して、そのサムネイル画像を、サムネイル画像表示領域における所定位置まで移動させて配置するようにしてもよい。この場合に、イベント画像の上側に表示されているサムネイル画像を同一ラインに移動させて配置するようにしてもよく、各サムネイル画像を異なるラインに移動させて配置するようにしてもよい。
【０１４５】
［撮像装置の動作例］
次に、本発明の第１の実施の形態における撮像装置１００の動作について図面を参照して説明する。
【０１４６】
図２６は、本発明の第１の実施の形態における撮像装置１００による表示制御処理の処理手順の一例を示すフローチャートである。
【０１４７】
最初に、コンテンツ再生モードの設定操作が行われたか否かが判断され（ステップＳ９０１）、その設定操作が行われていない場合には、表示制御処理の動作を終了する。コンテンツ再生モードの設定操作が行われた場合には（ステップＳ９０１）、表示制御部２５０がイベント表示画面を表示部１８１に表示させる（ステップＳ９０２）。
【０１４８】
続いて、イベント表示画面においてイベント（イベント画像）を選択するイベント選択操作が行われたか否かが判断される（ステップＳ９０３）。このイベント選択操作は、例えば、イベント表示画面における中央位置に表示されているイベント画像を選択する操作である。イベント選択操作が行われていない場合には（ステップＳ９０３）、他の操作入力があったか否かが判断される（ステップＳ９０４）。そして、他の操作入力がない場合には（ステップＳ９０４）、ステップＳ９０３に戻り、他の操作入力があった場合には、その操作入力に応じた各処理が行われ（ステップＳ９０５）、ステップＳ９０３に戻る。
【０１４９】
また、イベント選択操作が行われた場合には（ステップＳ９０３）、一覧表示画面へのアニメーション処理が行われる（ステップＳ９２０）。このアニメーション処理については、図２７を参照して詳細に説明する。
【０１５０】
続いて、一覧表示画面においてサムネイル画像の選択操作が行われたか否かが判断され（ステップＳ９０６）、サムネイル画像の選択操作が行われていない場合には、ステップＳ９１０に進む。一方、サムネイル画像の選択操作が行われた場合には（ステップＳ９０６）、その選択操作により選択されたサムネイル画像に対応するコンテンツを再生するコンテンツ再生処理が行われる（ステップＳ９０７）。続いて、コンテンツ再生の終了操作が行われたか否かが判断され（ステップＳ９０８）、コンテンツ再生の終了操作が行われていない場合には、ステップＳ９０７に戻る。一方、コンテンツ再生の終了操作が行われた場合には（ステップＳ９０８）、一覧表示画面が表示される（ステップＳ９０９）。
【０１５１】
続いて、イベント表示画面への遷移を指示する遷移操作（イベント表示画面への遷移操作）が行われたか否かが判断され（ステップＳ９１０）、その遷移操作が行われていない場合には、ステップＳ９０６に戻る。一方、その遷移操作が行われた場合には（ステップＳ９１０）、イベント表示画面へのアニメーション処理が行われる（ステップＳ９３０）。このアニメーション処理については、図２８を参照して詳細に説明する。
【０１５２】
続いて、コンテンツ再生モードを終了させる終了操作が行われたか否かが判断され（ステップＳ９１１）、その終了操作が行われていない場合には、ステップＳ９０３に戻る。一方、その終了操作が行われていない場合には（ステップＳ９１１）、表示制御処理の動作を終了する。なお、ステップＳ９０３、Ｓ９１０、Ｓ９２０、Ｓ９３０は、特許請求の範囲に記載の第１表示制御手順の一例である。また、ステップＳ９２０、Ｓ９３０は、特許請求の範囲に記載の第２表示制御手順の一例である。
【０１５３】
図２７は、本発明の第１の実施の形態における撮像装置１００による表示制御処理の処理手順のうちの一覧表示画面へのアニメーション処理（図２６に示すステップＳ９２０の処理手順）を示すフローチャートである。
【０１５４】
最初に、表示制御部２５０が、移動対象となるサムネイル画像以外の画像をイベント表示画面から消去する（ステップＳ９２１）。移動対象となるサムネイル画像は、ステップＳ９０３において選択されたイベントに属するコンテンツのサムネイル画像である。また、移動対象となるサムネイル画像の背景は、例えば、特定色（例えば、ブルー）とされる。続いて、パラメータａ、ｂ、ｃのそれぞれが０に初期化される（ステップＳ９２２）。続いて、表示制御部２５０が、移動対象となるサムネイル画像の描画処理に用いられる座標とサイズと角度とを算出する（ステップＳ９２３）。ここで、座標、サイズおよび角度は、式１乃至式５を用いて算出される。
【０１５５】
続いて、表示制御部２５０が、移動対象となるサムネイル画像を画像保持部２４０から取得し、算出された座標とサイズと角度とに基づいて、取得されたサムネイル画像を描画する（ステップＳ９２４）。すなわち、移動対象となるサムネイル画像の移動処理が行われる。続いて、表示制御部２５０が、描画されたサムネイル画像を表示部１８１に表示させる（ステップＳ９２５）。
【０１５６】
続いて、パラメータａ、ｂ、ｃが１以上であるか否かが判断される（ステップＳ９２６）。すなわち、描画されたサムネイル画像が一覧表示画面における所定位置まで達したか否かが判断される。パラメータａ、ｂ、ｃが１以上でない場合には（ステップＳ９２６）、パラメータａ、ｂ、ｃが変更され（ステップＳ９２７）、ステップＳ９２３に戻る。例えば、図１６（ａ）に示すグラフに従って、パラメータａ、ｂ、ｃが変更される。パラメータａ、ｂ、ｃが１以上である場合には（ステップＳ９２６）、表示制御部２５０が、移動対象となったサムネイル画像以外の画像を付加した一覧表示画面を表示部１８１に表示する（ステップＳ９２８）。そして、一覧表示画面へのアニメーション処理の動作を終了する。
【０１５７】
図２８は、本発明の第１の実施の形態における撮像装置１００による表示制御処理の処理手順のうちのイベント表示画面へのアニメーション処理（図２６に示すステップＳ９３０の処理手順）を示すフローチャートである。
【０１５８】
最初に、表示制御部２５０が、移動対象となるサムネイル画像以外の画像をイベント表示画面から消去する（ステップＳ９３１）。移動対象となるサムネイル画像は、遷移操作時において一覧表示画面の所定位置に配置されているサムネイル画像（コンテンツ）に係るイベントに属するコンテンツのサムネイル画像である。また、移動対象となるサムネイル画像の背景は、例えば、特定色（例えば、ブルー）とされる。続いて、パラメータａ、ｂ、ｃのそれぞれが０に初期化される（ステップＳ９３２）。続いて、表示制御部２５０が、移動対象となるサムネイル画像の描画処理に用いられる座標とサイズと角度とを算出する（ステップＳ９３３）。ここで、座標、サイズおよび角度は、式６乃至式１０を用いて算出される。
【０１５９】
続いて、表示制御部２５０が、移動対象となるサムネイル画像を画像保持部２４０から取得し、算出された座標とサイズと角度とに基づいて、取得されたサムネイル画像を描画する（ステップＳ９３４）。すなわち、移動対象となるサムネイル画像の移動処理が行われる。続いて、表示制御部２５０が、描画されたサムネイル画像を表示部１８１に表示させる（ステップＳ９３５）。
【０１６０】
続いて、パラメータａ、ｂ、ｃが１以上であるか否かが判断される（ステップＳ９３６）。すなわち、描画されたサムネイル画像がイベント表示画面における所定位置まで達したか否かが判断される。パラメータａ、ｂ、ｃが１以上でない場合には（ステップＳ９３６）、パラメータａ、ｂ、ｃが変更され（ステップＳ９３７）、ステップＳ９３３に戻る。例えば、図１６（ａ）に示すグラフに従って、パラメータａ、ｂ、ｃが変更される。パラメータａ、ｂ、ｃが１以上である場合には（ステップＳ９３６）、表示制御部２５０が、移動対象となったサムネイル画像以外の画像を付加したイベント表示画面を表示部１８１に表示する（ステップＳ９３８）。そして、イベント表示画面へのアニメーション処理の動作を終了する。
【０１６１】
＜２．変形例＞
本発明の第１の実施の形態では、サムネイル画像（インデックス画像）を移動させる場合にその移動の遷移をアニメーション表示する例を示した。ただし、その移動の遷移をアニメーション表示する場合には、他の表示態様によりアニメーション表示するようにしてもよい。そこで、以下では、本発明の第１の実施の形態の変形例を示す。なお、この変形例における撮像装置の構成については、図１、図２に示す例と略同様である。このため、本発明の第１の実施の形態と共通する部分（または対応する部分）については、同一の符号を付して、これらの説明の一部を省略する。
【０１６２】
［切替操作時におけるサムネイル画像の遷移例］
図２９は、本発明の第１の実施の形態の変形例における表示制御部２５０により表示される表示画面の遷移例を示す図である。図２９では、イベント表示画面から一覧表示画面への切替操作が行われた場合における遷移例の一部のみを示す。
【０１６３】
図２９（ａ）には、表示制御部２５０により表示されるイベント表示画面３００を示す。図２９（ａ）に示すイベント表示画面３００は、図６（ａ）と同様である。また、イベント表示画面３００に表示されているイベント画像３２１を選択する選択操作が行われた後に表示される表示画面例を図２９（ｂ）に示す。
【０１６４】
図２９（ｂ）には、表示制御部２５０により表示される遷移画面７００を示す。遷移画面７００は、図６（ｂ）に示す遷移画面３５０の変形例であり、図２９（ａ）に示すイベント表示画面３００において、イベント画像３２１を選択する選択操作が行われた直後に表示される表示画面である。ここで、図６に示す例では、イベント表示画面３００に含まれるイベント画像３２１と同一サイズのイベント画像３２１を遷移画面３５０に表示する例を示した。図２９に示す例では、イベント表示画面３００に含まれるイベント画像３２１を拡大した拡大画像（イベント画像７０１）を遷移画面７００に表示する例を示す。なお、遷移画面７００における点線の矩形は、図２９（ａ）に示すイベント表示画面３００に表示されていたイベント画像３２１の輪郭を表す矩形である。
【０１６５】
図２９（ｂ）に示すように、イベント画像３２１を選択する選択操作が行われた直後に、イベント画像３２１が拡大されたイベント画像７０１をアニメーション表示することにより、選択操作が行われたイベント画像をユーザが容易に認識することができる。また、選択操作が行われたイベント画像を仮想的に浮かび上がらせるようにユーザに見せることができ、ふんわり感を出すことができる。これにより、選択操作が行われたイベント画像に係るサムネイル画像をユーザが手で持ち上げ、散らすような印象を与えるアニメーション表示を提供することができる。
【０１６６】
なお、イベント画像の選択操作が行われた直後に、そのイベント画像を拡大表示する点以外は、本発明の第１の実施の形態と略同様である。すなわち、拡大表示されたイベント画像に係るサムネイル画像（イベント画像と同様に拡大されている）が、一覧表示画面における所定位置までアニメーション表示により移動される。この場合には、移動の開始時において、移動対象となるサムネイル画像が拡大されているため、一覧表示画面におけるサイズとなるように、移動の間に縮小処理が行われる。
【０１６７】
また、一覧表示画面からイベント表示画面への切替時においても同様に、イベント画像を拡大表示することができる。例えば、図１０乃至図１３に示すように、一覧表示画面からイベント表示画面への切替操作後にアニメーション表示がされている場合を想定する。この場合において、例えば、図１３（ａ）に示す遷移画面３６５が表示された後に、遷移画面３６５に含まれるイベント画像３２１を拡大した拡大画像をアニメーション表示により遷移画面に表示する。そして、このイベント画像３２１の拡大画像の表示後には、この拡大画像をアニメーション表示により縮小させて、図１３（ｂ）に示すイベント表示画面３００が表示されるようにする。これにより、中央に配置されるイベント画像を仮想的に浮かび上がらせるようにユーザに見せることができ、ふんわり感を出すことができる。また、そのイベント画像に係るサムネイル画像をユーザが手で集め、重ねて置くような印象を与えるアニメーション表示を提供することができる。
【０１６８】
［フェードインおよびフェードアウトによる表示例］
次に、フェードインおよびフェードアウトによる表示例について説明する。例えば、イベント表示画面から一覧表示画面に切り替える場合において、イベント画像の上側（視線方向の上側）に表示されていないサムネイル画像については、イベント画像の背面から出現するようにしてアニメーション表示が行われる。この場合には、イベント画像として表示されていないサムネイル画像の急激な出現により、ユーザが違和感を生じることも考えられる。
【０１６９】
また、例えば、一覧表示画面からイベント表示画面に切り替える場合において、イベント画像の上側（視線方向の上側）に表示されないサムネイル画像については、イベント画像の背面に隠れるようにしてアニメーション表示が行われる。この場合には、イベント画像の背面に隠れてサムネイル画像が見えなくなることにより、ユーザが違和感を生じることも考えられる。
【０１７０】
そこで、この例では、イベント画像の上側に表示されないサムネイル画像についてフェードイン処理またはフェードアウト処理を施しながらアニメーション処理を行う例を示す。ここで、フェードインおよびフェードアウトは、例えば、時間の経過に応じて、対象画像を順次変更する視覚表現を意味する。フェードイン処理は、例えば、対象画像を黒一色の画像としておき、時間の経過に応じて、その対象画像の黒を順次薄くしていき、最終的には通常の画像とする処理である。このフェードイン処理を行うことにより、見えていなかったサムネイル画像が徐々に出現するような印象を与えることができる。これにより、サムネイル画像の急激な出現による驚き等をユーザが生じることもなく、自然な状態でサムネイル画像の遷移を見ることができる。また、フェードアウト処理は、例えば、時間の経過に応じて、対象画像を順次黒くしていき、最終的には黒一色の画像とする処理である。このフェードアウト処理を行うことにより、見えていたサムネイル画像が徐々に消えていくような印象を与えることができる。これにより、サムネイル画像が見えなくなることによる不自然さ等をユーザが生じることもなく、自然な状態でサムネイル画像の遷移を見ることができる。
【０１７１】
図３０および図３１は、本発明の第１の実施の形態の変形例における表示制御部２５０により移動されるサムネイル画像をフェードインするフェードイン方法を概略的に示す図である。
【０１７２】
図３０には、表示制御部２５０による移動対象となるサムネイル画像７６０と、サムネイル画像７６０をフェードインする場合に用いられるα値（アルファ値）との関係を時系列で示す。サムネイル画像７６０は、例えば、コンテンツ管理情報記憶部２８０に記憶されているサムネイル画像である。対象画像描画領域７５０は、サムネイル画像７６０が描画される領域である。
【０１７３】
ここで、α値は、透明度を表す数値であり、ＲＧＢ（赤（Red）、緑（Green）、青（Blue））の透明度を０〜１の範囲内で変更するものである。例えば、α＝０が設定されている場合には対象画像が不透明となり、数値が大きくなるに応じて対象画像の透明度が上がる。そして、α＝１が設定された場合には対象画像が完全な透明となる。すなわち、画像の透明度を変更する場合に、このα値を変更することにより所望の透明度に変更することができる。この例では、対象画像の移動を繰り返す場合において、時間の経過に応じて対象画像の透明度を下げ、この透明度が変更された画像を黒画像に上書き合成することによりフェードインを行うフェードイン方法について説明する。
【０１７４】
図３０（ａ）には、フェードイン処理を行う前のサムネイル画像７６０および対象画像描画領域７５０を示す。ここで、フェードイン処理を行う場合には、図３０（ｂ）に示すように、表示制御部２５０が対象画像描画領域７５０を黒色に変更する。続いて、表示制御部２５０が、α＝１としたサムネイル画像７６０を、黒色とされた対象画像描画領域７５０に上書き合成する。このように、α値＝１である場合にはサムネイル画像７６０が完全な透明であるため、対象画像描画領域７５０に描画されたサムネイル画像７６０が黒色として表示部１８１に表示される。
【０１７５】
続いて、図３０（ｃ）に示すように、表示制御部２５０が対象画像描画領域７５０を黒色とし、表示制御部２５０が、α＝ａ（０＜ａ＜１）としたサムネイル画像７６０を、黒色とされた対象画像描画領域７５０に上書き合成する。そして、表示制御部２５０が、ａの値を順次小さくしていき、α＝ａ（０＜ａ＜１）としたサムネイル画像７６０を、黒色とされた対象画像描画領域７５０に上書き合成する処理を繰り返し行う。この場合に、αの数値が小さくなるに応じて対象画像の透明度が下がるため、対象画像描画領域７５０に描画されたサムネイル画像７６０が次第に黒色から遠ざかっていく。ここで、ａは、例えば、図１６（ａ）に示すグラフ上における曲線により特定されるａを用いることができる。なお、この例では、パラメータａを用いる例を示すが、移動対象となるサムネイル画像に応じたパラメータ（ａ、ｂ、ｃ）を用いるようにすることができる。
【０１７６】
続いて、図３０（ｄ）に示すように、表示制御部２５０が対象画像描画領域７５０を黒色とし、表示制御部２５０が、α＝０としたサムネイル画像７６０を、黒色とされた対象画像描画領域７５０に上書き合成する。ここで、α＝０である場合にはサムネイル画像７６０が不透明となるため、対象画像描画領域７５０に描画されたサムネイル画像７６０が表示部１８１にそのまま表示される。このように、表示制御部２５０によりフェードイン処理が施されたサムネイル画像７６０の遷移を図３１に示す。
【０１７７】
図３１には、表示制御部２５０によりフェードイン処理が施された画像の遷移を時系列で示す。ここで、サムネイル画像７７１は、α＝１としたサムネイル画像７６０が、黒色とされた対象画像描画領域７５０に上書き合成された場合における画像を示す。また、サムネイル画像７７５は、α＝０としたサムネイル画像７６０が、黒色とされた対象画像描画領域７５０に上書き合成された場合における画像を示す。また、サムネイル画像７７２乃至７７４は、α＝ａ（０＜ａ＜１）としたサムネイル画像７６０が、黒色とされた対象画像描画領域７５０に上書き合成された場合における画像を示す。なお、サムネイル画像７７２から７７４に進むに従って、αの数値が小さくなっていくものとする。
【０１７８】
また、フェードアウト処理については、上述したフォードイン処理のうち、α値の変更を逆とすることにより行うことができる（すなわち、α＝０→α＝１）。
【０１７９】
［移動速度および回転速度の変更による表示例］
本発明の第１の実施の形態では、移動対象となるサムネイル画像の移動処理および回転処理については、パラメータａ、ｂ、ｃを用いて同期させて行う例を示した。ただし、サムネイル画像の回転処理については、移動先に達する前に終了させるようにすることも可能である。すなわち、その移動処理および回転処理の関係を変更して表示することができる。そこで、この例では、移動速度および回転速度の変更による表示例について説明する。
【０１８０】
図３２は、本発明の第１の実施の形態の変形例における表示制御部２５０によりサムネイル画像が移動される際における移動遷移と回転遷移との関係を示す図である。
【０１８１】
図３２（ａ）には、サムネイル画像の移動距離と、時間軸との関係を表すグラフを示す。また、図３２（ｂ）には、サムネイル画像の回転角度と、時間軸との関係を表すグラフを示す。
【０１８２】
図３２（ａ）に示すグラフは、横軸を時間軸（ｔ）とし、縦軸を移動距離（Ｄ）を示す軸とするグラフである。また、図３２（ｂ）に示すグラフは、横軸を時間軸（ｔ）とし、縦軸を回転角度（θ）を示す軸とするグラフである。例えば、図３２（ａ）および（ｂ）に示すグラフにおいて、サムネイル画像の移動処理の開始時をｔ＝０とし、サムネイル画像の移動処理の終了時をｔ＝ｔ１とする。なお、図３２（ａ）および（ｂ）に示すグラフは、説明の容易のため、パラメータａ、ｂ、ｃによる遷移のばらつきを考慮せずに、サムネイル画像の移動遷移および回転遷移の関係を直線８０１および８０２により簡略化して示すものである。
【０１８３】
図３２（ａ）に示すように、サムネイル画像を移動させる場合には、その移動処理の開始時（ｔ＝０）から、その移動処理の終了時（ｔ＝ｔ１）まで継続して移動処理が行われる（直線８０１）。これに対して、サムネイル画像を回転させる場合には、図３２（ｂ）に示すように、その回転処理の開始時（ｔ＝０）から所定時間経過後（ｔ＝ｔ２）に、その回転が終了するように回転処理を行うようにする（直線８０２）。
【０１８４】
このように、サムネイル画像の回転処理を比較的速く終了させることにより、サムネイル画像の長手方向と、水平方向とが一致した状態のサムネイル画像のアニメーション表示をユーザに早めに提供することができる。また、このようなアニメーション表示をユーザ設定により変更するようにしてもよい。これにより、ユーザの好みに応じたアニメーション表示を提供することができる。また、一般に、画像の回転処理には時間がかかることが多いため、サムネイル画像の回転処理を比較的速く終了させることにより、アニメーション処理の負荷を軽減させることができ、さらに滑らかなアニメーション表示を行うことができる。なお、この例では、イベント表示画面から一覧表示画面への遷移例について説明したが、一覧表示画面からイベント表示画面への遷移については、回転処理を開始するタイミングを遅くするようにしてもよい。これにより、サムネイル画像の長手方向と、水平方向とが一致した状態のサムネイル画像のアニメーション表示をユーザに長い時間提供することができる。また、その回転処理を遅く開始させることにより、アニメーション処理の負荷を軽減させることができ、さらに滑らかなアニメーション表示を行うことができる。
【０１８５】
［イベントの境界を表示する表示例］
本発明の第１の実施の形態では、１つのイベントに属するコンテンツのサムネイル画像の全てが、サムネイル画像表示領域に表示される例を示した。ただし、１つのイベントに属するコンテンツのサムネイル画像が少ない場合（例えば、５、６枚）も想定される。そこで、この例では、一覧表示画面におけるサムネイル画像についてイベントの境界を表示する表示例について説明する。
【０１８６】
図３３は、本発明の第１の実施の形態における表示制御部２５０により表示される一覧表示画面の一例を示す図である。図３３に示す一覧表示画面８５０および一覧表示画面８６０は、表示されているサムネイル画像（＃８５乃至＃１００）と、これらのサムネイル画像のイベントの境界が表示されている点以外は、図５（ｂ）に示す一覧表示画面３３０と略同様である。
【０１８７】
例えば、サムネイル画像（＃８５乃至＃９５）は、１つのイベントに属するコンテンツのサムネイル画像であり、サムネイル画像（＃９６乃至＃１００）は、他のイベントに属するコンテンツのサムネイル画像であるものとする。この場合には、サムネイル画像表示領域３４０において、サムネイル画像がイベント毎に把握することができるように、イベントの境界を表示することができる。
【０１８８】
例えば、図３３（ａ）に示すように、イベントの境界を示す直線８５１により表示することができる。直線８５１は、例えば、青色等の目立つ色を付して表示することができる。また、例えば、図３３（ｂ）に示すように、イベントの境界に対応するサムネイル画像間の距離を大きくして、イベントの境界を表示することができる。
【０１８９】
このように、１つのイベントに属するコンテンツのサムネイル画像が少ない場合でも、１つのイベントに属するコンテンツのサムネイル画像のみが移動対象となる。例えば、一覧表示画面８５０からイベント表示画面３００に切り替える切替操作が受け付けられた場合を想定する。この場合には、表示制御部２５０は、その切替操作の受付時における一覧表示画面８５０に含まれるサムネイル画像のうち特定位置に配置されているサムネイル画像に係るイベントを構成するコンテンツに係るサムネイル画像のみをアニメーション表示させる。その特定位置は、例えば、サムネイル画像表示領域３４０における右下位置（サムネイル画像（＃８５）の位置）とすることができる。
【０１９０】
なお、１つのイベントに属するコンテンツのサムネイル画像の数が比較的多い場合（例えば、３０枚）には、サムネイル画像の全てがサムネイル画像表示領域３４０に表示されない場合も想定される。この場合には、例えば、サムネイル画像表示領域３４０への表示対象となるサムネイル画像（例えば、１６枚）のみを移動対象とすることができる。
【０１９１】
また、本発明の第１の実施の形態では、サムネイル画像表示領域において、４×４のマトリクス状にサムネイル画像を一覧表示する例を示したが、他の表示態様（例えば、４×３のマトリクス状）によりサムネイル画像を一覧表示するようにしてもよい。また、イベント表示画面におけるイベント画像についても、他の表示態様（例えば、上下方向に並べる、円状に並べる）により表示するようにしてもよい。
【０１９２】
以上で示したように、本発明の実施の形態では、イベント表示画面から一覧表示画面への遷移において、表示画面を突然切り換えずに、ユーザにより選択されたイベント画像に係るサムネイル画像をアニメーション表示により移動させる。これにより、ユーザにより選択されたイベントに係るサムネイル画像と、一覧表示画面に表示されるサムネイル画像との対応関係を容易に把握することができる。特に、タッチパネルを用いてイベント画像を選択する場合には、ユーザが意図したイベント画像を正しく選択することができたか否かを容易に確認することができる。
【０１９３】
また、一覧表示画面からイベント表示画面への遷移においても、表示画面を突然切り換えずに、サムネイル画像をアニメーション表示により移動させる。これにより、一覧表示画面に表示されるサムネイル画像と、これに対応するイベント画像との対応関係を容易に把握することができる。特に、一覧表示されていたサムネイル画像が、どのイベントに属するのかを容易に把握することができる。
【０１９４】
このように、本発明の実施の形態によれば、イベント表示画面と一覧表示画面との間で行われる表示遷移のＧＵＩ（Graphical User Interface）において、イベント画像およびサムネイル画像の対応位置を容易に把握することができる。これにより、コンテンツを閲覧する際の視認性を向上させることができる。また、コンテンツ単位で一覧表示されるコンテンツに関する画像（サムネイル画像）と、グループ単位で表示されるコンテンツに関する画像（イベント画像）との対応関係を容易に把握することができる。
【０１９５】
また、動画コンテンツおよび静止画コンテンツ以外の他のコンテンツを再生させる場合についても本発明の実施の形態を適用することができる。例えば、音声データのコンテンツに関する画像をインデックス画像として一覧表示する一覧表示画面と、そのコンテンツが属するグループのグループ画像を表示するグループ表示画面との切替を行う場合に本発明の実施の形態を適用することができる。なお、音声データのコンテンツに関する画像は、例えば、音楽のジャケット画像であり、そのコンテンツが属するグループは、ムードやテンポに基づくグループである。また、メニュー画面に一覧表示される項目ボタン等についても、本発明の実施の形態を適用することができる。例えば、上位階層のメニュー画面において、下位階層のメニュー画面を表示させるための項目ボタンが選択された場合には、その下位階層のメニュー画面をアニメーション表示により移動させることができる。
【０１９６】
また、携帯電話機、携帯型メディアプレーヤー等のコンテンツを再生させることが可能な電子機器に本発明の実施の形態を適用することができる。また、コンテンツおよびこれに関連するコンテンツ管理情報を他の表示装置に出力し、その表示装置にコンテンツを表示させることが可能な電子機器に本発明の実施の形態を適用することができる。
【０１９７】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１９８】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１９９】
１００  撮像装置
１１１  光学ブロック
１１２  撮像素子
１１３  カメラ信号処理回路
１１４  キー入力回路
１１５  電源回路
１１６  電源コントロール回路
１１７  バッテリ
１１８  ＡＣケーブル
１２０  マイクロプロセッサ
１３０  記録／再生信号処理回路
１４０  記録メディア
１５０  画像処理回路
１６０  ＯＳＤ画像生成回路
１７０  重畳回路
１８０  入出力パネル
１８１  表示部
２１０  操作受付部
２２０  データ取得部
２３０  クラスタ生成部
２４０  画像保持部
２５０  表示制御部
２６０  制御部
２７０  コンテンツ記憶部
２８０  コンテンツ管理情報記憶部
【図１】
0005648473.tif 000002
【図２】
0005648473.tif 000003
【図３】
0005648473.tif 000004
【図４】
0005648473.tif 000005
【図５】
0005648473.tif 000006
【図６】
0005648473.tif 000007
【図７】
0005648473.tif 000008
【図８】
0005648473.tif 000009
【図９】
0005648473.tif 000010
【図１０】
0005648473.tif 000011
【図１１】
0005648473.tif 000012
【図１２】
0005648473.tif 000013
【図１３】
0005648473.tif 000014
【図１４】
0005648473.tif 000015
【図１５】
0005648473.tif 000016
【図１６】
0005648473.tif 000017
【図１７】
0005648473.tif 000018
【図１８】
0005648473.tif 000019
【図１９】
0005648473.tif 000020
【図２０】
0005648473.tif 000021
【図２１】
0005648473.tif 000022
【図２２】
0005648473.tif 000023
【図２３】
0005648473.tif 000024
【図２４】
0005648473.tif 000025
【図２５】
0005648473.tif 000026
【図２６】
0005648473.tif 000027
【図２７】
0005648473.tif 000028
【図２８】
0005648473.tif 000029
【図２９】
0005648473.tif 000030
【図３２】
0005648473.tif 000031
【図３３】
0005648473.tif 000032
【図３０】
0005648473.tif 000033
【図３１】
0005648473.tif 000034